(57)【要約】【課題】  ネットワーク環境の変化等により現在の宛先設定が不適合となる状況下でも該環境変化に合った適正な値の宛先設定を容易に行えるようにする。【解決手段】  ジョブ履歴管理サーバ３０は、ジョブ履歴中のエラーの履歴が残るジョブ履歴における宛先関連の設定項目の設定内容を抽出し、該設定内容を設定確認の警告対象として含む警告情報を生成し、該エラー履歴が残るジョブを実行した画像読取装置Ａ、及び関連する画像読取装置Ｂに配布する（Ｓ３０５ａ，Ｓ３０５ｂ）。画像読取装置Ａは、ジョブ履歴管理サーバ３０からの警告情報を受信して保持し（Ｓ１１２）、ユーザがアドレス帳を開いて送信先関連情報を設定した際（Ｓ１１３）、保持している警告情報中の警告対象である設定内容と同じ設定内容の設定がなされた場合、該設定内容の設定確認を促す警告を報知する（Ｓ１１４）。【選択図】  図６
2010081056.tif 000002
【特許請求の範囲】
【請求項１】
宛先、読取条件及び送信方法に関連する各項目の値を設定し、該設定値に基づき、原稿から画像情報を読取ってデータ転送する読取転送ジョブを実行する画像読取装置と、
前記画像読取装置に対応して前記読取転送ジョブの履歴を管理するジョブ履歴管理装置と
を有し、
前記ジョブ履歴管理装置は、
前記ジョブ履歴中のエラーの履歴が残るジョブ履歴における宛先関連の項目の設定内容を抽出し、該設定内容を設定確認の警告対象として含む警告情報を生成する生成手段と、
前記生成手段により生成された前記警告情報を該エラー履歴が残るジョブを実行した画像読取装置に配布する配布手段と
を具備し、
前記画像読取装置は、
前記配布手段により配布される前記警告情報を受信し、保持する保持手段と、
前記宛先関連情報の設定に際し、前記保持手段により保持されている前記警告情報中の警告対象である設定内容と同じ設定内容での設定がなされた場合、該設定内容の確認を促す警告を報知する報知手段
を具備する設定確認報知システム。
【請求項２】
前記配布手段は、
前記生成手段により生成された前記警告情報を、前記エラー履歴が残るジョブを実行した画像読取装置と類似するアドレス帳を用いる画像読取装置に更に配布する
請求項１記載の設定確認報知システム。
【請求項３】
前記画像読取装置は、
前記報知手段により報知される前記警告に基づく宛先に関連する設定項目の変更設定を受付ける受付手段と、
前記受付手段により受付けた当該設定項目の変更設定値を含む変更設定完了通知を前記ジョブ履歴管理装置に送信する送信手段と
を具備し、
前記ジョブ履歴管理装置は、
前記送信手段による前記変更設定完了通知に含まれる前記変更設定値を変更設定候補として該当する警告情報に付加して候補付警告情報として更新する更新手段と、
前記更新手段により更新された前記候補付警告情報を、前記警告情報を配布済みであって、前記変更完了通知が未通知の画像読取装置に配信する配信手段
を具備する請求項１または２記載の設定確認報知システム。
【請求項４】
前記画像読取装置は、
前記配信手段により配信される前記候補付警告情報を受信し、前記保持手段に保持される前記警告情報を該候補付警告情報に更新する更新手段
を具備し、
前記報知手段は、
前記宛先関連情報の設定に際し、前記保持手段により保持されている前記候補付警告情報中の警告対象である設定内容と同じ設定内容での設定がなされた場合、該設定内容の確認を促す旨の警告を該候補付警告情報中の変更設定候補と共に報知する
請求項３記載の設定確認報知システム。
【請求項５】
前記画像読取装置は、
前記報知手段により前記変更設定候補と共に報知される前記警告に基づく宛先に関連する設定項目の変更設定を前記受付手段により受付けると共に、
前記受付手段により受付けた当該設定項目の変更設定値を含む変更設定完了通知を前記送信手段により前記ジョブ履歴管理装置に送信し、
前記ジョブ履歴管理装置は、
前記送信手段による前記変更設定完了通知の送信元が、前記候補付警告情報の送信先の前記画像読取装置である場合に、以後、該画像読取装置に対する前記候補付警告情報の配信を禁止する禁止手段
を具備する請求項４記載の設定確認報知システム。
【請求項６】
前記生成手段は、
前記宛先に関連する設定項目の設定値に基づく該宛先へのログインエラーの履歴からディレクトリパスに関するアクセス権，文字列長、ファイル名に関する文字列長，文字コード、共有名に関するアクセス権，文字列長及び文字コードのいずれか１つ以上の設定項目の設定値を抽出し、該各設定項目の設定値を警告対象とする前記警告情報を生成する請求項１乃至５のいずれか記載の設定確認報知システム。
【請求項７】
宛先、読取条件及び送信方法に関連する各項目の値を設定し、該設定値に基づき、原稿から画像情報を読取ってデータ転送する読取転送ジョブを実行する画像読取装置と、
前記画像読取装置による前記読取転送ジョブの履歴を管理するジョブ履歴管理装置と
を有し、
前記画像読取装置は、
前記各項目の設定後、前記原稿の読取りを開始する前、前記ジョブ履歴管理装置に対し、現在の設定内容と同じ設定内容を有するジョブ履歴の取得を要求する履歴取得要求手段と、
前記履歴取得要求手段による前記ジョブ履歴の取得要求に対して前記ジョブ履歴管理装置から応答送出される、現在の設定内容と同じ設定内容を有するジョブ履歴中にエラーの履歴がある場合、現在の設定内容の確認を促す警告を報知する報知手段と
を具備し、
前記ジョブ履歴管理装置は、
前記履歴取得要求手段による前記ジョブ履歴の取得要求に基づき、管理しているジョブ履歴の中から、現在の設定内容と同じ設定内容を有するジョブ履歴を検索し、取得要求元の前記画像読取装置に応答送出する応答送出手段
を具備する設定確認報知システム。
【請求項８】
前記ジョブ履歴管理装置は、
前記画像読取装置が、前記設定値に基づき、原稿から画像情報を読取り、該読取った画像情報をファイルとして添付した電子メールを生成して送信する読取メール転送ジョブにおけるメール送信履歴を管理し、
前記履歴取得要求手段は、
前記読取メール送信に際して、現在設定されている設定内容と同じ設定内容を有するメール送信履歴の取得を要求し、
前記報知手段は、
前記履歴取得要求手段よる前記メール送信履歴取得要求に対して前記ジョブ履歴管理装置から応答送出される、現在設定されている設定内容と同じ設定内容を有するメール送信履歴中にエラーの履歴がある場合、現在設定されているメール送信設定内容の確認を促す警告を報知する
請求項７記載の設定確認報知システム。
【請求項９】
前記履歴取得要求手段は、
現在設定されている添付ファイル形式と同じ添付ファイル形式の設定で実行されたメール送信履歴の取得を要求し、
前記報知手段は、
前記履歴取得要求手段よる前記履歴取得要求に対して前記ジョブ履歴管理装置から応答送出される、現在設定されている添付ファイル形式と同じ添付ファイル形式の設定で実行されたメール送信履歴中にエラーの履歴がある場合、現在設定されている添付ファイル形式が未許可の設定である旨を警告報知する
請求項８記載の設定確認報知システム。
【請求項１０】
前記報知手段は、
前記履歴取得要求手段よる前記履歴取得要求に対して前記ジョブ履歴管理装置から応答送出される、現在設定されている添付ファイル形式と同じ添付ファイル形式の設定で実行されたメール送信履歴中にエラーの履歴がない場合、現在設定されている添付ファイル形式でのメール送信に成功している旨を報知する
請求項９記載の設定確認報知システム。
【請求項１１】
宛先、読取条件及びメール送信方法に関連する各項目の値を設定し、該設定値に基づき、原稿から画像情報を読取り、該読取った画像情報をファイルとして添付した電子メールを生成して送信する画像読取装置と、
前記画像読取装置から送信される前記電子メールを受信して宛先に転送すると共に、前記画像読取装置による前記電子メールのメール送信履歴を管理するメールサーバ装置と
を有し、
前記画像読取装置は、
前記各項目の値を設定後、前記原稿の読取りを開始する前、前記メールサーバ装置に対し、現在の設定内容と同じ設定内容を有するメール送信履歴の取得を要求する履歴取得要求手段と、
前記履歴取得要求手段による前記メール送信履歴の取得要求に対して前記メールサーバ装置から応答送出される、現在の設定内容と同じ設定内容を有するメール送信履歴中にエラーの履歴がある場合、現在の設定内容の確認を促す警告を報知する報知手段と
を具備し、
前記メールサーバ装置は、
前記履歴取得要求手段による前記メール送信履歴の取得要求に基づき、管理しているメール送信履歴の中から、現在の設定内容と同じ設定内容を有するメール送信履歴を検索し、取得要求元の前記画像読取装置に応答送出する応答送出手段
を具備する設定確認報知システム。
【請求項１２】
前記履歴取得要求手段は、
現在設定されている添付ファイル形式と同じ添付ファイル形式の設定で実行されたメール送信履歴の取得を要求し、
前記報知手段は、
前記履歴取得要求手段よる前記履歴取得要求に対して前記メールサーバ装置から応答送出される、現在設定されている添付ファイル形式と同じ添付ファイル形式の設定で実行されたメール送信履歴中にエラーの履歴がある場合、現在設定されている添付ファイル形式が未許可の設定である旨を警告報知する
請求項１１記載の設定確認報知システム。
【請求項１３】
前記報知手段は、
前記履歴取得要求手段よる前記履歴取得要求に対して前記メールサーバ装置から応答送出される、現在設定されている添付ファイル形式と同じ添付ファイル形式の設定で実行されたメール送信履歴中にエラーの履歴がない場合、現在設定されている添付ファイル形式でのメール送信に成功している旨を報知する
請求項１２記載の設定確認報知システム。
【請求項１４】
宛先、読取条件及び送信方法に関連する各項目の値を設定し、該設定値に基づき、原稿から画像情報を読取ってサーバ装置経由でデータ転送する読取転送ジョブを実行する画像読取装置と、
前記画像読取装置、及び前記サーバ装置に対応する宛先、読取条件及び送信方法に関する適正な設定値を管理する管理装置と
を有し、
前記画像読取装置は、
前記設定値が正しく使用できなかった場合、正しく使用できなかった原因に応じた解決方法に従って該設定値を正しい設定値に自動修正する自動修正手段
を具備する設定自動修正システム。
【請求項１５】
前記自動修正手段は、
正しく使用できなかった前記設定値が前記サーバ装置に関する設定値である場合、他の画像読取装置と該サーバ装置との間の通信データを調査して該サーバ装置に関する適正な設定値を取得する
請求項１４記載の設定自動修正システム。
【請求項１６】
前記画像読取装置は、
前記自動修正手段による修正後の設定値を前記管理装置に通知する通知手段
を具備し、
前記管理装置は、
前記通知手段からの前記修正後の設定値の通知に基づき、通知元の画像読取装置と類似する設定値を用いる関連画像読取装置に関する該当項目の設定値を前記通知された設定値に変更する変更手段と、
前記変更手段による前記設定値の変更に応じて該当する項目の設定値が正しく使用でなかった場合の解決方法を構築する解決方法構築手段と
を具備する請求項１４または１５記載の設定自動修正システム。
【請求項１７】
前記通知手段は、
前記自動修正手段により前記正しく使用できなかった設定値が修正された場合、該修正後の設定値を前記関連画像読取装置に更に通知し、
前記画像読取装置は、
前記関連画像読取装置の前記通知手段からの前記修正後の設定値の通知に基づき、該当項目の設定値を該通知された設定値に変更する変更手段
を更に具備する請求項１６記載の設定自動修正システム。
【請求項１８】
前記画像読取装置は、
前記自動修正手段により前記正しく使用できなかった設定値を修正できなかった場合、該設定値を修正するための解決方法を前記管理装置に問合せる問合せ手段
を具備し、
前記管理装置は、
前記問合せ手段からの前記問合せに対し、該問合せに含まれる設定値が正しい設定値でないと判定した場合には、前記解決方法構築手段が構築する解決方法の中から正しい設定値を取得する方法を選出して問合せ元の画像読取装置に応答通知する応答通知手段と
を具備する請求項１５乃至１７のいずれか記載の設定自動修正システム。
【請求項１９】
前記問合せ手段は、
前記自動修正手段により前記正しく使用できなかった設定値を修正できなかった場合、類似する設定値を用いる関連画像読取装置に対して正しい設定値を問い合わせ、
前記画像読取装置は、
前記関連画像読取装置の前記問合せ手段からの前記問合せに対し、該当項目の正しい設定値を問合せ元の関連画像読取装置に応答送信する応答送信手段
を具備する請求項１８記載の設定自動修正システム。
【発明の詳細な説明】
【技術分野】
【０００１】
本発明は、設定確認報知システム、及び設定自動修正システムに関する。
【背景技術】
【０００２】
今日、ネットワークスキャナ装置、ファイルサーバ、メールサーバ及びＰＣ（パーソナルコンピュータ）をネットワークにより接続し、ネットワークスキャナ装置で読取った画像情報をファイルサーバや、メールサーバ等を介して宛先へデータ送信するシステムが知られている。
【０００３】
この種のネットワークデータ送信システムにおいて、送信側装置における宛先設定に関する従来技術として、下記特許文献１には、ネットワークスキャンの設定をログとして、管理者装置経由でデバイスにメール配信し、他のデバイスにおいて該ログ内容を元に設定を共有する技術が開示されている。
【０００４】
また、下記特許文献２には、クライアントが過去に使用したスキャンプロファイルをサーバで記憶しておき、次回の利用時にそのプロファイルをデフォルトとして適用する技術が開示されている。
【０００５】
また、下記特許文献３には、ジョブ履歴管理サーバからジョブ履歴情報を取得して、そのジョブ履歴情報を定型設定にとしてユーザに表示することによって、ユーザ操作の簡易化を行う技術、ジョブ履歴書式の異なるデバイスに対しては、サーバ装置で書式の修正を施す技術が開示されている。
【特許文献１】特開２００３−１８９０５４号公報
【特許文献２】特開２００４−８０７９５号公報
【特許文献３】特開２００７−２８０１９号公報
【発明の開示】
【発明が解決しようとする課題】
【０００６】
ネットワークデータ送信を行うこの種の従来システムにおいて、送信側装置での宛先設定に際して他の装置のジョブをそのまま使う方法（特に、特許文献３参照）があるが、この技術では、現時点では誤った設定となっている場合の判別がつかず、誤った設定をそのまま使い続けてしまうこともあり得る。
【０００７】
また、装置への設定時には正しかったアドレス帳設定がネットワーク環境の変化によりエラーとなる場合も考えられる。
【０００８】
本発明は、ネットワーク環境の変化等により現在の宛先設定が不適合となる状況下でも該環境変化に合った適正な値の宛先設定を容易に行える設定確認報知システム、及び設定自動修正システムを提供することを目的とする。
【課題を解決するための手段】
【０００９】
上記目的を達成するために、請求項１記載の設定確認報知システムの発明は、宛先、読取条件及び送信方法に関連する各項目の値を設定し、該設定値に基づき、原稿から画像情報を読取ってデータ転送する読取転送ジョブを実行する画像読取装置と、前記画像読取装置に対応して前記読取転送ジョブの履歴を管理するジョブ履歴管理装置とを有し、前記ジョブ履歴管理装置は、前記ジョブ履歴中のエラーの履歴が残るジョブ履歴における宛先関連の項目の設定内容を抽出し、該設定内容を設定確認の警告対象として含む警告情報を生成する生成手段と、前記生成手段により生成された前記警告情報を該エラー履歴が残るジョブを実行した画像読取装置に配布する配布手段とを具備し、前記画像読取装置は、前記配布手段により配布される前記警告情報を受信し、保持する保持手段と、前記宛先関連情報の設定に際し、前記保持手段により保持されている前記警告情報中の警告対象である設定内容と同じ設定内容での設定がなされた場合、該設定内容の確認を促す警告を報知する報知手段を具備する。
【００１０】
請求項２記載の発明は、上記請求項１記載の発明において、前記配布手段は、前記生成手段により生成された前記警告情報を、前記エラー履歴が残るジョブを実行した画像読取装置と類似するアドレス帳を用いる画像読取装置に更に配布する。
【００１１】
請求項３記載の発明は、上記請求項１または２記載の発明において、前記画像読取装置は、前記報知手段により報知される前記警告に基づく宛先に関連する設定項目の変更設定を受付ける受付手段と、前記受付手段により受付けた当該設定項目の変更設定値を含む変更設定完了通知を前記ジョブ履歴管理装置に送信する送信手段とを具備し、前記ジョブ履歴管理装置は、前記送信手段による前記変更設定完了通知に含まれる前記変更設定値を変更設定候補として該当する警告情報に付加して候補付警告情報として更新する更新手段と、前記更新手段により更新された前記候補付警告情報を、前記警告情報を配布済みであって、前記変更完了通知が未通知の画像読取装置に配信する配信手段を具備する。
【００１２】
請求項４記載の発明は、上記請求項３記載の発明において、前記画像読取装置は、前記配信手段により配信される前記候補付警告情報を受信し、前記保持手段に保持される前記警告情報を該候補付警告情報に更新する更新手段を具備し、前記報知手段は、前記宛先関連情報の設定に際し、前記保持手段により保持されている前記候補付警告情報中の警告対象である設定内容と同じ設定内容での設定がなされた場合、該設定内容の確認を促す旨の警告を該候補付警告情報中の変更設定候補と共に報知する。
【００１３】
請求項５記載の発明は、上記請求項４記載の発明において、前記画像読取装置は、前記報知手段により前記変更設定候補と共に報知される前記警告に基づく宛先に関連する設定項目の変更設定を前記受付手段により受付けると共に、前記受付手段により受付けた当該設定項目の変更設定値を含む変更設定完了通知を前記送信手段により前記ジョブ履歴管理装置に送信し、前記ジョブ履歴管理装置は、前記送信手段による前記変更設定完了通知の送信元が、前記候補付警告情報の送信先の前記画像読取装置である場合に、以後、該画像読取装置に対する前記候補付警告情報の配信を禁止する禁止手段を具備する。
【００１４】
請求項６記載の発明は、上記請求項１乃至５のいずれか記載の発明において、前記生成手段は、前記宛先に関連する設定項目の設定値に基づく該宛先へのログインエラーの履歴からディレクトリパスに関するアクセス権，文字列長、ファイル名に関する文字列長，文字コード、共有名に関するアクセス権，文字列長及び文字コードのいずれか１つ以上の設定項目の設定値を抽出し、該各設定項目の設定値を警告対象とする前記警告情報を生成する。
【００１５】
請求項７記載の設定確認報知システムの発明は、宛先、読取条件及び送信方法に関連する各項目の値を設定し、該設定値に基づき、原稿から画像情報を読取ってデータ転送する読取転送ジョブを実行する画像読取装置と、前記画像読取装置による前記読取転送ジョブの履歴を管理するジョブ履歴管理装置とを有し、前記画像読取装置は、前記各項目の設定後、前記原稿の読取りを開始する前、前記ジョブ履歴管理装置に対し、現在の設定内容と同じ設定内容を有するジョブ履歴の取得を要求する履歴取得要求手段と、前記履歴取得要求手段による前記ジョブ履歴の取得要求に対して前記ジョブ履歴管理装置から応答送出される、現在の設定内容と同じ設定内容を有するジョブ履歴中にエラーの履歴がある場合、現在の設定内容の確認を促す警告を報知する報知手段とを具備し、前記ジョブ履歴管理装置は、前記履歴取得要求手段による前記ジョブ履歴の取得要求に基づき、管理しているジョブ履歴の中から、現在の設定内容と同じ設定内容を有するジョブ履歴を検索し、取得要求元の前記画像読取装置に応答送出する応答送出手段を具備する。
【００１６】
請求項８記載の発明は、上記請求項７記載の発明において、前記ジョブ履歴管理装置は、前記画像読取装置が、前記設定値に基づき、原稿から画像情報を読取り、該読取った画像情報をファイルとして添付した電子メールを生成して送信する読取メール転送ジョブにおけるメール送信履歴を管理し、前記履歴取得要求手段は、前記読取メール送信に際して、現在設定されている設定内容と同じ設定内容を有するメール送信履歴の取得を要求し、前記報知手段は、前記履歴取得要求手段よる前記メール送信履歴取得要求に対して前記ジョブ履歴管理装置から応答送出される、現在設定されている設定内容と同じ設定内容を有するメール送信履歴中にエラーの履歴がある場合、現在設定されているメール送信設定内容の確認を促す警告を報知する。
【００１７】
請求項９記載の発明は、上記請求項８記載の発明において、前記履歴取得要求手段は、現在設定されている添付ファイル形式と同じ添付ファイル形式の設定で実行されたメール送信履歴の取得を要求し、前記報知手段は、前記履歴取得要求手段よる前記履歴取得要求に対して前記ジョブ履歴管理装置から応答送出される、現在設定されている添付ファイル形式と同じ添付ファイル形式の設定で実行されたメール送信履歴中にエラーの履歴がある場合、現在設定されている添付ファイル形式が未許可の設定である旨を警告報知する。
【００１８】
請求項１０記載の発明は、上記請求項９記載の発明において、前記報知手段は、前記履歴取得要求手段よる前記履歴取得要求に対して前記ジョブ履歴管理装置から応答送出される、現在設定されている添付ファイル形式と同じ添付ファイル形式の設定で実行されたメール送信履歴中にエラーの履歴がない場合、現在設定されている添付ファイル形式でのメール送信に成功している旨を報知する。
【００１９】
請求項１１記載の設定確認報知システムの発明は、宛先、読取条件及びメール送信方法に関連する各項目の値を設定し、該設定値に基づき、原稿から画像情報を読取り、該読取った画像情報をファイルとして添付した電子メールを生成して送信する画像読取装置と、前記画像読取装置から送信される前記電子メールを受信して宛先に転送すると共に、前記画像読取装置による前記電子メールのメール送信履歴を管理するメールサーバ装置とを有し、前記画像読取装置は、前記各項目の値を設定後、前記原稿の読取りを開始する前、前記メールサーバ装置に対し、現在の設定内容と同じ設定内容を有するメール送信履歴の取得を要求する履歴取得要求手段と、前記履歴取得要求手段による前記メール送信履歴の取得要求に対して前記メールサーバ装置から応答送出される、現在の設定内容と同じ設定内容を有するメール送信履歴中にエラーの履歴がある場合、現在の設定内容の確認を促す警告を報知する報知手段とを具備し、前記メールサーバ装置は、前記履歴取得要求手段による前記メール送信履歴の取得要求に基づき、管理しているメール送信履歴の中から、現在の設定内容と同じ設定内容を有するメール送信履歴を検索し、取得要求元の前記画像読取装置に応答送出する応答送出手段を具備する。
【００２０】
請求項１２記載の発明は、上記請求項１１記載の発明において、前記履歴取得要求手段は、現在設定されている添付ファイル形式と同じ添付ファイル形式の設定で実行されたメール送信履歴の取得を要求し、前記報知手段は、前記履歴取得要求手段よる前記履歴取得要求に対して前記メールサーバ装置から応答送出される、現在設定されている添付ファイル形式と同じ添付ファイル形式の設定で実行されたメール送信履歴中にエラーの履歴がある場合、現在設定されている添付ファイル形式が未許可の設定である旨を警告報知する。
【００２１】
請求項１３記載の発明は、上記請求項１２記載の発明において、前記報知手段は、前記履歴取得要求手段よる前記履歴取得要求に対して前記メールサーバ装置から応答送出される、現在設定されている添付ファイル形式と同じ添付ファイル形式の設定で実行されたメール送信履歴中にエラーの履歴がない場合、現在設定されている添付ファイル形式でのメール送信に成功している旨を報知する。
【００２２】
請求項１４記載の設定自動修正システムの発明は、宛先、読取条件及び送信方法に関連する各項目の値を設定し、該設定値に基づき、原稿から画像情報を読取ってサーバ装置経由でデータ転送する読取転送ジョブを実行する画像読取装置と、前記画像読取装置、及び前記サーバ装置に対応する宛先、読取条件及び送信方法に関する適正な設定値を管理する管理装置とを有し、前記画像読取装置は、前記設定値が正しく使用できなかった場合、正しく使用できなかった原因に応じた解決方法に従って該設定値を正しい設定値に自動修正する自動修正手段を具備する。
【００２３】
請求項１５記載の発明は、上記請求項１４記載の発明において、前記自動修正手段は、正しく使用できなかった前記設定値が前記サーバ装置に関する設定値である場合、他の画像読取装置と該サーバ装置との間の通信データを調査して該サーバ装置に関する適正な設定値を取得する。
【００２４】
請求項１６記載の発明は、上記請求項１４または１５記載の発明において、前記画像読取装置は、前記自動修正手段による修正後の設定値を前記管理装置に通知する通知手段を具備し、前記管理装置は、前記通知手段からの前記修正後の設定値の通知に基づき、通知元の画像読取装置と類似する設定値を用いる関連画像読取装置に関する該当項目の設定値を前記通知された設定値に変更する変更手段と、前記変更手段による前記設定値の変更に応じて該当する項目の設定値が正しく使用でなかった場合の解決方法を構築する解決方法構築手段とを具備する。
【００２５】
請求項１７記載の発明は、上記請求項１６記載の発明において、前記通知手段は、前記自動修正手段により前記正しく使用できなかった設定値が修正された場合、該修正後の設定値を前記関連画像読取装置に更に通知し、前記画像読取装置は、前記関連画像読取装置の前記通知手段からの前記修正後の設定値の通知に基づき、該当項目の設定値を該通知された設定値に変更する変更手段を更に具備する。
【００２６】
請求項１８記載の発明は、上記請求項１５乃至１７のいずれか記載の発明において、前記画像読取装置は、前記自動修正手段により前記正しく使用できなかった設定値を修正できなかった場合、該設定値を修正するための解決方法を前記管理装置に問合せる問合せ手段を具備し、前記管理装置は、前記問合せ手段からの前記問合せに対し、該問合せに含まれる設定値が正しい設定値でないと判定した場合には、前記解決方法構築手段が構築する解決方法の中から正しい設定値を取得する方法を選出して問合せ元の画像読取装置に応答通知する応答通知手段とを具備する。
【００２７】
請求項１９記載の発明は、上記請求項１８記載の発明において、前記問合せ手段は、前記自動修正手段により前記正しく使用できなかった設定値を修正できなかった場合、類似する設定値を用いる関連画像読取装置に対して正しい設定値を問い合わせ、前記画像読取装置は、前記関連画像読取装置の前記問合せ手段からの前記問合せに対し、該当項目の正しい設定値を問合せ元の関連画像読取装置に応答送信する応答送信手段を具備する。
【発明の効果】
【００２８】
請求項１記載の設定確認報知システムの発明によれば、定期的な宛先の状態確認を行うことなく、アドレス帳から送信先を指定した時点で、設定確認警告報知により、現在の設定を変更する必要があることを認識できる。
【００２９】
請求項２記載の発明によれば、請求項１記載の発明において、類似するアドレス帳を用いる全ての画像読取装置で、他の画像読取装置のエラー情報を共有することで、アドレス帳への登録設定の修正の必要性について早期の認識ができ、設定修正を効率的に行なえる。
【００３０】
請求項３記載の発明によれば、請求項１または２記載の発明において、ある画像読取装置で設定確認警告報知に基づく設定変更がなされると、まだ設定変更していない関連する画像読取装置で上記変更設定値を変更設定候補として受け取って共有できる。
【００３１】
請求項４記載の発明によれば、請求項３記載の発明において、アドレス帳から送信先設定に対する設定確認警告報知時、他の画像読取装置での設定確認警告報知に基づく変更設定値が変更設定候補として報知されるため、現在の設定内容の修正が容易となる。
【００３２】
請求項５記載の発明によれば、請求項４記載の発明において、他の画像読取装置での変更設定値を設定変更候補として設定内容を変更した画像読取装置に対して設定変更候補を無駄に通知せずに済む。
【００３３】
請求項６記載の発明によれば、請求項１乃至５のいずれか記載の発明において、アドレス帳からの設定時、同じ設定内容で過去に例えばログインエラーが発生している場合等においては、ディレクトリパスのアクセス権等の修正によって正しくログインへと移行できる。
【００３４】
請求項７記載の設定確認報知システムの発明によれば、ファイル送信やメール送信に先立って設定される設定内容と同じ設定内容のジョブ履歴を画像読取装置が取得し、その中にエラー情報がある場合には、現在の設定内容を確認する旨の警告表示に基づき、スキャンを開始する前に設定変更に対処できる。
【００３５】
請求項８記載の発明によれば、請求項７記載の発明において、メール送信に先立ちアドレス及び送信方法を指定した時点でメール送信が成功しないと推測できることをユーザが知ることができ、メール送信後、メール送信失敗の通知を受けた時点でメール再送の操作を行わなければならないケースに比べて操作上の手間を大幅に軽減できる。
【００３６】
請求項９記載の発明によれば、請求項８記載の発明において、メール送信に先立ちアドレス及び添付ファイルを設定した際、同じ設定で過去にエラーが発生している場合には、添付ファイル形式が未許可の設定である旨をユーザに報知して設定変更を促すことができる。
【００３７】
請求項１０記載の発明によれば、請求項９記載の発明において、メール送信に先立ちアドレス及び添付ファイルを設定した際、同じ設定で過去にエラーが発生していない場合は、該添付ファイル形式でのメール送信が成功していることをユーザに認識せしめたうえでメール送信を実行できる。
【００３８】
請求項１１記載の設定確認報知システムの発明によれば、メールサーバがメール送信履歴を管理する環境下で、メール送信に先立ちアドレス及び送信方法を指定した時点でメール送信が成功しない設定内容であることをユーザが知ることができ、メール送信後、メール送信失敗の通知を受けるのを待たずに設定変更に対処できる。
【００３９】
請求項１２記載の発明によれば、請求項１１記載の発明において、メールサーバがメール送信履歴を管理する環境下で、メール送信に先立ちアドレス及び添付ファイルを設定した際、同じ設定で過去にエラーが発生している場合には、添付ファイル形式が未許可の設定である旨をユーザに報知して設定変更を促すことができる。
【００４０】
請求項１３記載の発明によれば、請求項１２記載の発明において、メールサーバがメール送信履歴を管理する環境下で、メール送信に先立ちアドレス及び添付ファイルを設定した際、同じ設定で過去にエラーが発生していない場合は、該添付ファイル形式でのメール送信が成功していることをユーザに認識せしめたうえでメール送信を実行できる。
【００４１】
請求項１４記載の設定自動修正システムの発明によれば、ネットワーク環境の変化等により現在の設定が不適合となりアクセスできない場合にもその要因となったパラメータが適正な値に自動修正され、ユーザは不正な設定値の設定変更を強いられることがなく、利便性が向上する。
【００４２】
請求項１５記載の発明によれば、請求項１４記載の発明において、サーバ装置に関する設定値が不正でアクセスできなかった場合、ネットワーク上での通信パケットを調査して適正な設定値を取得できる。
【００４３】
請求項１６記載の発明によれば、請求項１４または１５記載の発明において、画像読取装置でのパラメータ設定に際して自動修正された設定値を基に管理サーバ装置の管理情報を最新の状態に更新できると共に、該項目の設定値が正しく使用できなかった場合の解決方法の精度を上げ、その後、他の画像読取装置からの問合せがあった場合により精度の良い解決方法を提示できる。
【００４４】
請求項１７記載の発明によれば、請求項１６記載に発明において、画像読取装置でのパラメータ設定に際して自動修正された設定値を、該画像読取装置、関連する画像読取装置、及び管理サーバ装置間で共有でき、設定値が正しく使用できなかった場合の自動修正がやり易く、しかも正確に修正が可能になる。
【００４５】
請求項１８記載の発明によれば、請求項１５乃至１７のいずれか記載に発明において、画像読取装置は、自装置で対応できない場合に、管理サーバ装置から取得した解決方法を適用して正しい設定値への自動修正が行なえ、自動修正の適応範囲が広くなる。
【００４６】
請求項１９記載の発明によれば、請求項１８記載の発明において、画像読取装置は、自装置で対応できない場合に、関連する画像読取装置から取得した正しい設定値を取得して自動修正でき、自動修正の対応能力が向上する。
【発明を実施するための最良の形態】
【００４７】
以下、本発明の実施形態について添付図面を参照して詳細に説明する。
【実施例１】
【００４８】
図１は、実施例１に係わる設定確認報知システムの全体構成を示すブロック図である。
【００４９】
このシステムは、スキャン対象の原稿（紙文書）の画像を指定された読取パラメータ（スキャンパラメータ）で読取って指定された宛先にネットワークを介してファイル転送、あるいは電子メール（Ｅ−ｍａｉｌ：以下、メール）転送を行うネットワーク画像読取転送ジョブ（以下、画像読取転送ジョブ）の実行機能を有する画像読取装置１０（１０−１，１０−２，…）、ＰＣ（パーソナル・コンピュータ）によって実現され、外部より画像読取装置１０のネットワーク転送ジョブを実行させる指示操作を行うクライアント端末２０（便宜的に１台のみ開示）、上記各画像読取装置１０における画像読取転送ジョブのジョブ履歴を管理するジョブ履歴管理部を有するジョブ履歴管理サーバ３０（同、１台のみ開示）、上記各画像読取装置１０における画像転送読取ジョブによって送信されるスキャンデータを受信して格納すると共に、該スキャンデータ（スキャンファイル）を指定された宛先へ配信するファイル転送制御部を有するファイルサーバ４０（４０−１，４０−２，…）の各装置を、それぞれ、１または複数台ずつ、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等で構成されたネットワーク（ＮＷ）７０を介して接続して構成される。
【００５０】
ＮＷ７０の構成例としては、例えば、画像読取装置１０−１，０−２,…と、ファイルサーバ４０−１，４０−２，…間をＬＡＮで相互に接続し、ジョブ履歴管理サーバ３０は、ＷＡＮによりファイアウォール装置を介して上記ＬＡＮに接続するようにしても良い。
【００５１】
このシステムにおいて、画像読取装置１０、クライアント端末２０、ジョブ履歴管理サーバ３０、ファイルサーバ４０等の各装置は、ＮＷ７０上で、例えば、ＴＣＰ／ＩＰ（Ｔｒａｎｓｍｉｓｓｉｏｎ  Ｃｏｎｔｒｏｌ  Ｐｒｏｔｐｃｏｌ／Ｉｎｔｅｒｎｅｔ  Ｐｒｏｔｐｃｏｌ）という通信プロトコルを用いて相互の通信を行う。
【００５２】
上記各装置には、宛先を識別する固有のＩＰアドレスが与えられ、例えば、相手装置へのアクセスに際しては該相手装置のＩＰアドレスを指定する必要がある。
【００５３】
図２は、本実施例に係わる画像読取装置１０の機能構成を示すブロック図である。
【００５４】
この画像読取装置１０は、例えば、原稿読取（スキャン）、複写（コピー）、印刷（プリント）、ＦＡＸ（ファクシミリ通信）等の複数の機能を有する複合機であり、図２に示すように、原稿の画像をスキャンし、電気的な画像信号（画像データ）に変換する読取部１１、読取部１１により紙文書をスキャンして得られたスキャンデータや、クライアント端末（不図示）から送られてくる印刷ジョブから印刷データを生成するための画像処理を行う画像処理部１２、スキャンデータや動作プログラム等の各種情報を記憶する記憶部１３、画像処理部１２により生成された印刷データに基づき電子写真プロセスを実行して記録媒体（記録用紙）に該印刷データに対応する画像を形成する画像形成部１４、タッチパネル機能を有する大型ビットマップディスプレイ等から成る表示／操作部１５、スキャン、コピー、プリント、ＦＡＸ等の各機能に係わる該当各部の動作制御等、装置全体の制御を行なう制御部１６、クライアント端末２０、ジョブ履歴管理サーバ３０やファイルサーバ４０等とＮＷ７０を介して通信する際のネットワークインタフェースを司るネットワークインタフェース（ＮＷ  Ｉ／Ｆ）部１７を備えて構成される。
【００５５】
この画像読取装置１０では、上述したスキャン機能を利用した通信制御機能として、ユーザによる画像読取転送指示操作に基づき、指定されたスキャンパラメータにより原稿から画像を読取り、該読取った画像情報（スキャンデータ）を宛先として指定されたファイルサーバ４０に指定されたファイル形式で転送するスキャン・ツウ・ファイル転送〔Ｓｃａｎ  Ｔｏ  ＦＴＰ（Ｆｉｌｅ  Ｔｒａｎｓｆｅｒ  Ｐｒｏｔｏｃｏｌ）／ＳＭＢ（Ｓｅｒｖｅｒ  Ｍｅｓｓａｇｅ  Ｂｌｏｃｋ）〕のジョブ、あるいは、上記スキャンデータを指定されたファイル形式のデータとして添付したメールを生成し、指定されたメールアドレスにメール送信するスキャン・ツウ・メール送信（Ｓｃａｎ  Ｔｏ  Ｍａｉｌ）のジョブを実行する画像読取転送制御機能を有する。
【００５６】
画像読取装置１０において、制御部１６には、上記画像読取転送に係わる制御を行う画像読取転送制御部１６１の他、ジョブ履歴管理部１６２、アドレス帳管理部１６３、設定確認警告部１６４、設定変更処理部１６５が備わる。
【００５７】
ジョブ履歴管理部１６２は、画像読取転送ジョブ（スキャン・ツウ・ファイル転送ジョブ、スキャン・ツウ・メールジョブ）の実行後、例えば、記憶部１３に設けられるジョブ履歴管理テーブル１３１に該ジョブの履歴（エラージョブの履歴も含む）を格納すると共に、該格納されたジョブ履歴を登録することをジョブ履歴管理サーバ３０に要求し、当該ジョブ履歴を登録させる制御を行う。
【００５８】
アドレス帳管理部１６３は、画像読取転送ジョブによるスキャンしたデータの送信先の情報を、例えば、記憶部１３に設けられるアドレス帳管理テーブル１３２に登録し、アドレス帳として管理する。
【００５９】
設定確認警告部１６４は、ジョブ履歴管理サーバ３０から警告情報を受信して、例えば、記憶部１３に設けられる警告情報管理テーブル１３３に保持すると共に、画像読取転送ジョブに際してユーザにより設定されたアドレス等の設定内容が上記警告情報中の警告対象である設定内容と同じ設定内容である場合、該設定内容の確認を促す警告を報知する制御を行う。
【００６０】
設定変更処理部１６５は、設定確認警告部１６４での設定内容確認の警告に対するユーザの正しい設定内容への設定変更を受付けると共に、設定変更を受付けた場合は、該設定変更内容をジョブ履歴管理サーバ３０に送信する制御を行う。
【００６１】
図３は、本実施例に係わるジョブ履歴管理サーバ３０の機能構成を示すブロック図である。
【００６２】
ジョブ履歴管理サーバ３０は、汎用のコンピュータから成り、図３に示すように、画像読取装置１０、クライアント端末２０、ファイルサーバ４０等とＮＷ７０を介して通信する際のネットワークインタフェースを司るネットワークインタフェース（ＮＷ  Ｉ／Ｆ）部３１、動作プログラム等の各種情報を記憶する記憶部３２、例えば、ハードディスク駆動装置（ＨＤＤ）で構成され、画像読取装置１０から登録要求された画像読取転送ジョブのジョブ履歴等の情報を記憶する記憶装置３３、装置全体の制御を行なう制御部３４を具備して構成される。
【００６３】
ジョブ履歴管理サーバ３０において、制御部３４には、ジョブ履歴管理部３４１、エラー判定部３４２、警告／設定情報配信部３４３が設けられる。
【００６４】
ジョブ履歴管理部３４１は、画像読取装置１０のジョブ履歴管理部１６２からのジョブ履歴の登録要求を受付け、該ジョブ履歴を、例えば、記憶装置２３内に設けられるジョブ履歴管理テーブル３３１に登録して管理する処理を行う。
【００６５】
エラー判定部３４２は、ジョブ履歴管理部３４１により管理されるジョブ履歴中、エラーとなったジョブ履歴に関するエラー原因（エラーに関与する項目と該項目の設定値）を判定する。
【００６６】
警告／設定情報配信部３４３は、エラー判定部３４２により判定された設定内容（エラーに至った設定内容）を設定確認の警告対象として含む警告情報〔該警告情報には、警告情報パターンデータベース（ＤＢ）３３３に格納される種々の警告パターンの中から当該エラー種別に対応する警告パターン（警告メッセージ）が選出されて付加される。〕を生成し、該警告情報を該エラー履歴が残るジョブを実行した画像読取装置１０、及び関連する画像読取装置１０に配布（配信）する処理、及び、画像読取装置１０で配布された警告情報に基づいてなされる設定確認警告に対してユーザにより正しい設定内容に変更された場合に該画像読取装置１０から送られる変更後の設定値を受信し、該変更後の設定値を変更設定候補として該当する警告情報に付加して警告・設定情報（候補付警告情報）として更新し、該警告・設定情報を既に警告情報を送信している画像読取装置１０（但し、警告情報に基づく変更設定値を未受信の装置）に配信する処理を行う。
【００６７】
図４は、本実施例に係わるファイルサーバ４０の機能構成を示すブロック図である。
【００６８】
ファイルサーバ４０は、汎用のコンピュータから成り、図４に示すように、画像読取装置１０、クライアント端末２０、ジョブ履歴管理サーバ３０等とＮＷ７０を介して通信する際のネットワークインタフェースを司るネットワークインタフェース（ＮＷ  Ｉ／Ｆ）部４１、動作プログラム等の各種情報を記憶する記憶部４２、例えば、ハードディスク駆動装置（ＨＤＤ）で構成され、画像読取装置１０からのスキャンデータ等の情報を記憶する記憶装置４３、装置全体の制御を行なう制御部４４を具備して構成される。
【００６９】
ファイルサーバ４０において、制御部４４には、送信要求受付部４４１、ファイル転送制御部４４２が設けられる。
【００７０】
送信要求受付部４４１は、画像読取装置１０の画像読取転送制御部１６１からのファイル送信要求を受付ける処理を行う。
【００７１】
ファイル転送制御部４４２は、送信要求受付部４４１が受付けた画像読取装置１０からのファイル送信要求に基づき、該送信要求されたファイル（スキャンデータを指定されたファイル形式に変換したもの）を、例えば、記憶装置３３内に設けられるファイル管理データベース（ＤＢ）３３１に登録して管理するとともに、宛先（例えば、クライアント端末２０）からの配信（ダウンロード）の要求を受付けて、該ファイルを当該宛先に配信する制御を行う。
【００７２】
図５及び図６は、本実施例に係わるシステムの画像読取転送処理に係わる画像読取装置Ａ（１０−１）、Ｂ（１０−２）及びジョブ履歴管理サーバ３０間の制御シーケンスを示す図である。
【００７３】
図５、図６では、特に、画像読取装置Ａ，Ｂにおいて、スキャン・ツウ・ファイル転送を行う際の制御シーケンスを示し、図６は、図５の最終処理に続いて実施される処理動作を示している。
【００７４】
画像読取装置Ａ，Ｂにおいて、スキャン・ツウ・ファイル転送ジョブを実行する場合、それぞれのユーザは、該当する画像読取装置Ａ，Ｂにおいて、スキャン対象の原稿をセットしたうえで、表示／操作部１５を操作し、画像読取装置Ａ，Ｂそれぞれのアドレス帳を開いて宛先関連情報（送信先アドレス、ディレクトリパス、ログイン名、パスワード等）やスキャンパラメータ〔ファイル形式、スキャン解像度（ｄｐｉ）、カラー／モノクロ種別等）を設定（指定）した後、スキャン開始を指示する一連のジョブ実行指示操作を行う。
【００７５】
その際に開かれるアドレス帳は、画像読取装置Ａ，Ｂそれぞれの記憶部１３のアドレス帳管理テーブル１３２から読み出されたものであり、事前に、各送信先に対応した、送信先アドレス、ディレクトリパス、送信方法〔ＦＴＰ、ＳＭＢ、Ｍａｉｌ、スキャン解像度（ｄｐｉ）、カラー／モノクロ種別等〕、ログイン名、パスワード等、データ転送を行ううえで必要な情報が設定されている。
【００７６】
これによりユーザは、上記ジョブ実行指示操作に際し、該アドレス帳から所望の送信先に対応する送信先アドレスを選択指定すると共に、他の必要なパラメータを指定する。
【００７７】
図５に示すように、例えば、画像読取装置Ａにおいて、ユーザにより上記アドレス帳を用いた送信先アドレスやスキャンパラメータ等の設定を含むジョブ実行指示操作が行われると、画像読取転送制御１６１が該操作を受付け（ステップＳ１０１）、次いで、該アドレス帳で選択された宛先関連情報に基づきネットワークセッションの確立、送信先端末へのログオンを経て該送信先端末へのデータ（指定されたスキャンパラメータに基づき原稿から読取ったスキャンデータ）の送信を実行する（ステップＳ１０２）。
【００７８】
ここで、上記ネットワークセッション、ログオン等が正常に実施され、上記ステップＳ１０２でのスキャンデータの送信が完了（ジョブ終了）すると（ステップＳ１０３）、ジョブ履歴管理部１６２が当該ジョブの履歴として送信結果をジョブ履歴管理テーブル１３１に追加登録する（ステップＳ１０４）。
【００７９】
ジョブ履歴には、正常終了の他に、送信先へのデータ転送に失敗した場合のエラー情報も含まれる。
【００８０】
この例では、画像読取装置Ａにおいて上記ネットワークセッション、ログオン等が正常に実施され、上記ステップＳ１０２でのスキャンデータの送信が正しく完了したことにより、該送信結果が“成功”であるジョブ履歴が残される。
【００８１】
なお、ジョブ履歴管理部１６２は、上述したジョブ履歴の管理を行ないながら、該ジョブ履歴の送信タイミングの監視を行う。
【００８２】
この処理に関しては、例えば、予め設定した時刻（または時間間隔）に達したことによりジョブ送信履歴送信タイミングに達したと判断する方法や、蓄積されたジョブ履歴の数が設定数に達したことによりジョブ送信履歴送信タイミングに達したと判断する方法がある。
【００８３】
ジョブ履歴管理部１６２は、上記の方法によりジョブ履歴送信タイミングに達したと判断すると（ステップＳ１０５ＹＥＳ）、ジョブ履歴管理テーブル１３１から保持されているジョブ履歴を読み出し、ジョブ履歴管理サーバ３０に対して該ジョブ履歴の登録要求を送出する（ステップＳ１０６）。
【００８４】
このジョブ履歴登録要求には、登録を希望するジョブ履歴と共に、装置種別を判別可能な識別子、及び固体識別できる一意の番号（例えば、シリアル番号やＭＡＣアドレス等）が含まれる。
【００８５】
同様に、画像読取装置Ｂにおいて、画像読取転送制御１６１は、ユーザによるアドレス帳を用いた送信先アドレスの設定を含むジョブ実行指示操作を受付け（ステップＳ２０１）、該アドレス帳で選択された宛先関連情報に基づきネットワークセッションの確立、送信先端末へのログオンを経て該送信先端末へのデータ送信を実行する（ステップＳ２０２）。
【００８６】
このジョブの開始後、ジョブエラーとして、例えば、ＦＴＰログインエラーが発生すると（ステップＳ２０３）、ジョブ履歴管理部１６２は、“ＦＴＰログインエラー”を示すエラー情報を含む当該ジョブの履歴をジョブ履歴管理テーブル１３１に登録する（ステップＳ２０４）。
【００８７】
その後、ジョブ履歴管理部１６２は、上述したジョブ履歴送信タイミングに達した際に（ステップＳ２０５ＹＥＳ）、ジョブ履歴管理テーブル１３１から保持されているジョブ履歴を読み出し、ジョブ履歴管理サーバ３０に対して該ジョブ履歴の登録要求を送出する（ステップＳ１０６）。
【００８８】
他方、ジョブ履歴管理サーバ３０において、ジョブ履歴管理部３４１は、画像読取装置Ａ、Ｂからの上記ジョブ履歴登録要求を受信すると、該登録要求に含まれるジョブ履歴を、装置種別と固体識別番号（該登録要求に含まれる）を用いて、登録要求元の画像読取装置Ａ、Ｂにそれぞれ対応してジョブ履歴管理テーブル３３１上に登録する（ステップＳ３０１）。
【００８９】
次に、ジョブ履歴管理サーバ３０では、任意のタイミングに、エラー判定部３４２が、ジョブ履歴管理テーブル３３１内のジョブ履歴の中からエラーとして記録されている情報（ＦＴＰログインエラー等のエラー情報）を抽出する（ステップＳ３０２）。
【００９０】
次いで、該エラー情報が記録されていたジョブ履歴中から、該エラー種別のエラーに関与する（エラーの原因となり得る）情報項目を特定すると共に、該情報項目の現在の値（エラー時の値）を警告対象として検索する（ステップＳ３０３）。
【００９１】
この処理に際して特定、検索されるエラーに関与する情報項目としては、例えば、画像読取装置Ｂで発生したＦＴＰログインエラーの場合、該エラーに関与する情報項目として、ディレクトリパス、ファイル名、共有名等の情報があり、これらのうち、ディレクトリパスに関してはアクセス権、文字列長等の情報、ファイル名に関しては文字列長、文字コード等の情報、共有名に関してはアクセス権、文字列長、文字コード等の情報の設定問題が考えられる。
【００９２】
本実施例において、ジョブ履歴管理テーブル３３１上で管理されるジョブ履歴から抽出されるエラー要素としては、図７の表図に示すように、例えば、スキャン・ツウ・ファイル（ＦＴＰ／ＳＭＢ）転送のジョブについては、サーバアドレス、ポート番号、ユーザ名、ディレクトリパス、ファイル名、共有名（ＳＭＢのみ）、サーバのバージョン等の情報があり、スキャン・ツウ・メール（Ｍａｉｌ）転送のジョブについては、メールアドレス、メールサーバアドレス、メールサーバ設定、ユーザ名、ポート番号、認証方法、メール上限サイズ等の情報がある。
【００９３】
上記ステップＳ３０３の処理後、警告／設定情報配信部３４３は、上記の処理で特定、検索したエラー種別と、警告対象の情報項目及びその現在の値（設定内容）と、当該エラー種別に関与する情報項目の確認を促す警告メッセージとを関連付けた警告情報を生成し（ステップＳ３０４）、該警告情報を、当該エラー（ＦＴＰログインエラー）となったジョブを実行した画像読取装置Ｂと、該読取装置Ｂと類似するアドレス帳を保持する画像読取装置Ａに送信する（ステップＳ３０５ａ、Ｓ３０５ｂ）。
【００９４】
ここで、警告／設定情報配信部３４３は、ユーザ環境下において、画像読取装置Ｂと類似するアドレス帳を保持する画像読取装置として、予め保持している装置情報から、画像読取装置Ａを検索し、画像読取装置Ｂに送信した警告情報と同じ警告情報を送信する。
【００９５】
なお、類似するアドレス帳を保持する画像読取装置がどれであるかを判断する方法は、画像読取装置の識別子を元にして画像読取装置を識別すると、どの機種がどのようなアドレス帳を持っているかを製造メータでは容易に判断できる。
【００９６】
ジョブ履歴管理サーバ３０では、上記ステップＳ３０５ａ、Ｓ３０５ｂで警告情報を送出した後、図６における丸Ｃ１から始まるステップＳ３１１以降の処理に進み、他方、画像読取装置Ａ、Ｂでは、上記警告情報を受信すると、それぞれ、図６における丸Ａ２からはじまるステップＳ１１１以降の処理、同じく丸Ａ３からはじまるステップＳ２１１以降の処理へと移行する。
【００９７】
図６に示すように、画像読取装置Ａは、ジョブ履歴管理サーバ３０から上記警告情報を受信すると（ステップＳ１１１）、設定確認警告部１６４が、該警告情報を警告情報管理テーブル１３３に保持すると共に、アドレス帳管理テーブル１３２に保持しているアドレス帳から、受信した警告情報に含まれている警告対象の情報項目に該当する情報項目を抽出する（ステップＳ１１２）。
【００９８】
同様に、画像読取装置Ｂにおいても、ジョブ履歴管理サーバ３０から警告情報を受信すると（ステップＳ２１１）、設定確認警告部１６４が、該警告情報を警告情報管理テーブル１３３に保持すると共に、アドレス帳管理テーブル１３２に保持しているアドレス帳から、受信した警告情報に含まれている警告対象の情報項目に該当する情報項目を抽出する（ステップＳ２１２）。
【００９９】
なお、上記ステップＳ３０２からステップＳ３０４（図５参照）、ステップＳ１１１，Ｓ１１２及びステップＳ２１１，Ｓ２１２（図６参照）の処理は、ユーザによる画像読取装置Ａ，Ｂの利用に同期することなく、任意のタイミング（例えば、ユーザの装置利用頻度の低い夜間など）に自動的に処理される。
【０１００】
上記ステップＳ３０２で、ジョブ履歴管理サーバ３０から受信した警告情報中の警告対象の情報項目に該当する項目を抽出した後、設定確認警告部１６４は、スキャン・ツウ・ファイル転送等のジョブ起動のためにユーザによりアドレス帳が開かれたか否かを監視する（ステップＳ１１３）。
【０１０１】
ここで、アドレス帳が開かれ（ステップＳ１１３ＹＥＳ）、送信先等の各情報項目の値を指定する操作中、上記ステップＳ１１２で抽出した上記警告対象の情報項目の値〔過去にエラーとなった設定内容（項目と項目の設定値）〕と同じ設定内容が指定されると、上記ステップＳ１１１で受信した警告情報中の当該警告対象の情報項目に対応する警告メッセージを読出し、該警告メッセージを表示／操作部１５の図示しない表示部に表示することにより、現在の設定では送信が行なえないために設定内容（警告対象の情報項目の設定内容）の確認を促す旨の警告の報知を行う（ステップＳ１１４）。
【０１０２】
次いで、設定変更処理部１６５は、上記警告メッセージの表示により設定内容の確認を促した現在の設定内容の各項目の値に関して設定変更の操作を受付けると（ステップＳ１１５）、該変更設定された各項目の値を含む情報（設定情報）を、上記ステップＳ１１１で受信した警告情報の応答としてジョブ履歴管理サーバ３０へ送信する。
【０１０３】
ステップＳ１１５で受付けた設定変更は、アドレス帳にも反映され、以後、正しい設定として保存される。
【０１０４】
なお、上記ステップＳ１１５で設定変更操作を受付けた場合、画像読取転送制御部１６１は、該変更後の設定内容に基づき上記ステップＳ１０２〜Ｓ１０４（図５参照）と同様の手順でジョブ実行する（ステップＳ１１６）。
【０１０５】
上記ステップＳ１１３〜Ｓ１１５の処理により、ユーザは、送信対象の原稿のスキャンを行う前に、利用しようとしたアドレス帳の設定を修正する必要があることを上記警告メッセージにより認識でき、警告に従がって該当項目情報の設定に修正を施すことにより、ステップＳ１１６において正しくスキャンデータの送信を行うことが可能になる。
【０１０６】
なお、上記ステップＳ１１３〜Ｓ１１５の処理については、関連するクライアント端末２０からの指示操作による画像読取装置Ａでのジョブ実行の際にも適用される。
【０１０７】
この場合、クライアント端末２０の表示部上で画像読取装置Ａのアドレス帳が開かれ（ステップＳ１１３ＹＥＳ）、アドレス帳設定（送信先の各情報項目の指定操作）で、警告対象の設定内容と同じ設定内容での設定がなされることにより、警告メッセージが表示され（ステップＳ１１４）、変更設定の受付けが行なわれる（ステップＳ１１５）。
【０１０８】
一方、ジョブ履歴管理サーバ３０では、上記ステップＳ１１５で画像読取装置Ａから送信された設定情報（変更後の設定値を含む）を、上記ステップＳ３０４で送信した警告情報に対する応答情報として受信すると（ステップＳ３１１）、警告／設定情報配信部３４３が、該受信した設定情報を画像読取装置Ａに対応して、例えば、記憶装置３３の所定の記憶領域に保存する（ステップＳ３１２）。
【０１０９】
引き続き、警告／設定情報配信部３４３は、画像読取装置Ａから受信した上記設定情報に対応する送信済みの警告情報を特定し、該送信済みの警告情報中、エラー種別と、警告対象の情報項目及びその現在の値（設定内容）と、当該エラー種別に関与する情報項目の確認を促す警告メッセージとの関連付けに対して、当該設定情報を変更設定候補として更に関連付けた警告・設定情報を作成し（ステップＳ３１３）、該警告・設定情報を、上記警告情報に対して上記設定情報を応答送出してきた画像読取装置Ａ以外の画像読取装置（この例では、画像読取装置Ｂ）に送信する。
【０１１０】
一方、画像読取装置Ｂでは、ジョブ履歴管理サーバ３０から上記警告・設定情報を受信すると（ステップＳ２１３）、設定確認警告部１６４が、上記ステップＳ２１２での処理と同様、該警告・設定情報を警告情報管理テーブル１３３に保持すると共に、アドレス帳管理テーブル１３２に保持しているアドレス帳から、受信した警告・設定情報に含まれている警告対象の情報項目に該当する情報項目を抽出する（ステップＳ２１４）。
【０１１１】
その後、設定確認警告部１６４は、スキャン・ツウ・ファイル転送等のジョブ起動のためにアドレス帳が開かれたか否かを監視し（ステップＳ２１５）、アドレス帳が開かれ（ステップＳ２１５ＹＥＳ）、送信先等の各情報項目の値を指定する操作中、上記ステップＳ２１４で抽出した上記警告対象の情報項目の値〔過去にエラーとなった設定内容（項目と項目の設定値）〕と同じ設定内容が指定されると、上記ステップＳ２１３で受信した警告・設定情報中の当該警告対象の情報項目に対応する警告メッセージ、及び変更設定候補の情報を読出し、該警告メッセージ及び変更設定候補を表示／操作部１５の図示しない表示部に表示することにより、現在の設定では送信が行なえないために設定内容（警告対象の情報項目の設定内容）の確認を促す旨、及び変更設定案として上記変更設定候補がある旨の警告報知を行う（ステップＳ２１６）。
【０１１２】
次いで、設定変更処理部１６５は、上記警告メッセージ及び変更設定案の表示により設定内容の確認を促した情報項目（警告対象の情報項目）に関して上記変更設定案に相当する情報項目への設定変更の操作を受付けると（ステップＳ２１７）、該変更設定値を含む変更完了通知情報（設定情報）を、上記ステップＳ２１３で受信した警告・設定情報の応答としてジョブ履歴管理サーバ３０へ送信する。
【０１１３】
ステップＳ２１７で受付けた設定変更は、アドレス帳にも反映され、以後、正しい設定として保存される。
【０１１４】
他方、ジョブ履歴管理サーバ３０は、上記ステップＳ３１３で警告・設定情報を送信した画像読取装置Ｂから上記設定情報（変更設定値を含む変更完了通知情報）を受信すると（ステップＳ３１４）、警告／設定情報配信部３４３は、該画像読取装置Ｂに対して、以後、送信済みの警告・設定情報を配信しない（配信を禁止する）ように情報配信リセット処理を実行する。
【０１１５】
なお、上記ステップＳ２１７で上記変更設定案に基づく設定変更操作を受付けた場合、画像読取転送制御部１６１は、該変更後の設定内容に基づき画像読取装置Ａにおける上記ステップＳ１０２〜Ｓ１０４（図５参照）と同様の手順でジョブ実行する（ステップＳ２１８）。
【０１１６】
上記ステップＳ２１５〜Ｓ２１７の処理により、ユーザは、送信対象の原稿のスキャンを行う前に、利用しようとしたアドレス帳の設定を修正する必要があることを上記警告メッセージにより認識でき、一緒に表示される変更設定案に基づき修正を施すことにより、ステップＳ２１８において正しくスキャンデータの送信を行うことが可能になる。
【０１１７】
なお、上記ステップＳ２１５〜Ｓ２１７の処理については、関連するクライアント端末２０からの指示操作による画像読取装置Ｂでのジョブ実行の際にも適用される。
【０１１８】
この場合、クライアント端末２０の表示部上で画像読取装置Ｂのアドレス帳が開かれ（ステップＳ２１５ＹＥＳ）、アドレス帳設定（送信先の各情報項目の指定操作）で、警告対象の設定内容と同じ設定内容の設定が行なわれることにより、警告メッセージ及び変更設定候補が表示され（ステップＳ２１６）、該変更設定候補に基づく変更設定の受付けが行なわれる（ステップＳ２１７）。
【０１１９】
次に、本実施に係わるシステムの画像読取転送処理におけるアドレス帳簡易修正処理の具体例について説明する。
【０１２０】
今、ジョブ履歴管理サーバ３０において、ジョブ履歴管理テーブル３３１を用い、図５のステップＳ２０３で画像読取装置ＢにおいてＦＴＰログインエラーが発生した後、画像読取装置Ａ，Ｂから送られてくるジョブ履歴を管理しているものとする（図５のステップＳ３０１に対応）。
【０１２１】
その後、任意のタイミングに、例えば、画像読取装置Ｂのジョブ履歴から上記ＦＴＰログインエラーが抽出されると（同、ステップＳ３０２に対応）、ジョブ履歴管理サーバ３０では、例えば、図８に示す如く、エラー種別“ログインエラー”、警告対象情報項目と現在の値“サーバ名：ａａａａ／ログイン名：ｂｂｂｂ”、及び警告メッセージで構成される警告情報が作成され（同、ステップＳ３０３に対応）、該警告情報が画像読取装置Ａ及びＢに送信される（同、ステップＳ３０５ａ，３０５ｂに対応）。
【０１２２】
画像読取装置Ａ，Ｂでは、それぞれ、ジョブ履歴管理サーバ３０から受信した警告情報中の“サーバ名：ａａａａ”、“ログイン名：ｂｂｂｂ”という情報を警告対象の情報として抽出し、保持する（図６のステップＳ１１２に対応）。
【０１２３】
その後、画像読取装置Ａでスキャン・ツウ・ＦＴＰジョブを実行しようとしてアドレス帳を開き、例えば、サーバ名として“ａａａａ”、ログイン名“ｂｂｂｂ”を指定すると（同、ステップＳ１１３に対応）、これらが警告対象項目である“サーバ名：ａａａａ”、“ログイン名：ｂｂｂｂ”に一致することにより、図８に示す警告情報中の警告メッセージと同内容の警告メッセージが表示される（同、Ｓ１１４に対応）。
【０１２４】
その後、ユーザは、サーバ名及びログイン名について正しい値をそれぞれ調べ、その正しい値、例えば、“サーバ名：ａａｃｃ”、“ログイン名：ｃｃｄｄ”に修正することによりスキャン・ツウ・ＦＴＰジョブを正しく実行できる（同、ステップＳ１１５，Ｓ１１６に対応）。
【０１２５】
画像読取装置Ａで設定変更された値（設定情報：“サーバ名：ａａｃｃ”、“ログイン名：ｃｃｄｄ”）がジョブ管理サーバ３０に送られ、ジョブ管理サーバ３０が該設定情報を受信すると、該受信した設定情報と、送信済みの警告情報（図８参照）とに基づき、図９に示す如く、エラー種別“ログインエラー”、警告対象情報項目と現在の値“サーバ名：ａａａａ／ログイン名：ｂｂｂｂ”、及び警告メッセージ（以上は、送信済みの警告情報の内容）の情報に、設定情報“サーバ名：ａａｃｃ”、“ログイン名：ｃｃｄｄ”を設定変更候補として加えた警告・設定情報が作成され（同、ステップＳ３１１〜Ｓ３１３に対応）、該警告・設定情報（警告情報に上記設定変更候補を付加して更新したもの）画像読取装置Ｂに送信される。
【０１２６】
画像読取装置Ｂでは、ジョブ履歴管理サーバ３０から受信した警告・設定情報中の“サーバ名：ａａａａ”、“ログイン名：ｂｂｂｂ”という情報を警告対象の情報として抽出すると共に、“サーバ名：ａａｃｃ”、“ログイン名：ｂｂｄｄ”という設定情報を設定変更案として抽出し、保持する（同、ステップＳ２１３、Ｓ２１４に対応）。
【０１２７】
その後、画像読取装置Ｂでスキャン・ツウ・ＦＴＰジョブを実行しようとしてアドレス帳を開き、例えば、サーバ名として“ａａａａ”、ログイン名“ｂｂｂｂ”を指定すると（同、ステップＳ２１５に対応）、これらが警告対象項目である“サーバ名：ａａａａ”、“ログイン名：ｂｂｂｂ”に一致することにより、図９に示す警告・設定情報中の警告メッセージと同内容の警告メッセージに、設定候補として“サーバ名：ａａｃｃ”、“ログイン名：ｂｂｄｄ”がある旨が表示される（同、Ｓ２１６に対応）。
【０１２８】
その後、ユーザは、サーバ名を設定候補である“サーバ名：ａａｃｃ”、ログイン名を設定候補として示された“ログイン名：ｃｃｄｄ”に容易に修正でき、そのうえでスキャン・ツウ・ＦＴＰジョブを正しく実行できる（同、ステップＳ２１７，Ｓ２１８に対応）。
【０１２９】
上述した本実施例の構成によれば、画像読取装置１０において、定期的な宛先確認を行うことなく、アドレス帳から送信先を設定した時点で確認が必要な項目情報を含む設定確認警告表示により現在の設定の修正が必要であることを認識できる。
【０１３０】
ジョブ履歴管理サーバ３０側で画像読取装置１０毎のジョブ履歴からエラー情報を抽出することで、画像読取装置１０側の処理負荷を低減できる。
【０１３１】
画像読取装置１０からジョブ履歴管理サーバ３０へのジョブ履歴の送信が定期的、または、適切なタイミングで行なわれるため、環境情報（エラーの原因となるネットワーク環境情報）の更新が自動的に行なわれ、現在の状況に合った警告情報を詳しい内容で展開できる。
【０１３２】
画像読取装置１０間で他の画像読取装置１０のエラー情報を共有できるため、アドレス帳への登録設定の問題について早期の認識及び効率的な設定の修正が行なえる。
【０１３３】
ジョブ履歴管理サーバ３０は画像読取装置１０のメーカー側で提供するので、ジョブ履歴からの誤差の少ないエラー情報抽出や別機種への類似の配信が可能であり、ユーザが設定変更を実施し易い警告情報が提供できる。
【実施例２】
【０１３４】
図１０は、実施例２に係わる設定確認報知システムの全体構成を示すブロック図である。
【０１３５】
このシステムは、それぞれ、１または複数の画像読取装置１０Ｂ（１０Ｂ−１，１０−２，…）、クライアント端末２０（便宜的に、１台のみ開示）、ジョブ履歴管理サーバ３０Ｂ（同、１台のみ開示）、ファイルサーバ４０Ｂ（同、１台のみ開示）、メールサーバ５０（同、１台のみ開示）の各装置を、ＬＡＮやＷＡＮ等で構成されたネットワーク（ＮＷ）７０を介して接続して構成される。
【０１３６】
このシステムにおいて、ジョブ履歴管理サーバ３０Ｂは、実施例１に係わるジョブ履歴管理サーバ３０と同等のジョブ履歴管理機能を有し、ファイルサーバ４０Ｂは、実施例１に係わるファイルサーバ４０と同等のファイル転送機能を有するものである。
【０１３７】
本実施例のシステムでは、主として、画像読取装置１０Ｂとメールサーバ５０の構成に特徴を有する。
【０１３８】
図２は、本実施例に係わる画像読取装置１０Ｂの機能構成を示すブロック図である。
【０１３９】
画像読取装置１０Ｂにおいて、実施例１に係わる画像読取装置１０と同等の機能を果たす機能部には同一の符号を付している。
【０１４０】
図１１に示す画像読取装置１０Ｂの機能構成において、制御部１６ｂには、実施例１と同等の画像読取転送制御部１６１、ジョブ履歴管理部１６２、アドレス帳管理部１６３の他、メール送信履歴問合せ部１６６、設定確認警告部１６７が備わる。
【０１４１】
メール送信履歴問合せ部１６６は、スキャン・ツウ・メールジョブに際して、ユーザによるアドレス設定やスキャンパラメータ等の設定がなされた際に、該設定内容の組合せを用いてメール送信履歴をメールサーバ５０に問合せ（取得を要求する）、該設定内容の組合せに対応するメール送信履歴を取得する処理を行う。
【０１４２】
設定確認警告部１６７は、メール送信履歴問合せ部１６６がメールサーバ５０から取得したメール送信履歴からエラー情報が抽出された場合に該エラー情報の内容に応じて現在の設定内容の確認を促す旨の警告制御を行う。
【０１４３】
また、本実施例に係わるファイルサーバ５０は、上記メール送信履歴問合せ部１６６が問合せるメール送信履歴を管理する機能を有するものであり、その機能構成を図１２に示す。
【０１４４】
メールサーバ５０は、汎用のコンピュータから成り、図１２に示すように、画像読取装置１０Ｂ等とＮＷ７０を介して通信する際のネットワークインタフェースを司るネットワークインタフェース（ＮＷ  Ｉ／Ｆ）部５１、動作プログラム等の各種情報を記憶する記憶部５２、例えば、ハードディスク駆動装置（ＨＤＤ）で構成され、画像読取装置１０Ｂから送られるメール情報（スキャンデータが添付される）等の情報を記憶する記憶装置５３、装置全体の制御を行なう制御部５４を具備して構成される。
【０１４５】
メールサーバ５０において、制御部５４には、メール送信制御部５４１、メール送信履歴管理部５４２、送信履歴検索／応答制御部５４３が設けられる。
【０１４６】
メール送信制御部５４１は、画像読取装置１０Ｂの画像読取転送制御部１６１からのメール送信要求を受付け、該メール送信要求に基づき、該送信要求されたメール（スキャンした原稿の画像データが添付される）を、例えば、記憶装置３３内に設けられるメール保存領域に保存するとともに、宛先である、例えば、クライアント端末２０からの配信（ダウンロード）の要求を受付けて、該メールを当該クライアント端末２０に配信する制御を行う。
【０１４７】
メール送信履歴管理部５４２は、メール送信制御部５４１でのメール送信制御に基づくメール送信の履歴を、例えば、記憶装置３３内に設けられるメール送信履歴管理テーブル５３１に登録して管理する。
【０１４８】
送信履歴検索／応答制御部５４３は、画像読取装置１０Ｂのメール送信履歴問合せ部１６６からのユーザが設定したメールアドレスやパラメータを含むメール送信履歴の問合せ（取得要求）に基づき、該問合せに含まれるメールアドレス等の設定内容の組合せに対応するメール送信履歴をメール送信履歴管理テーブル５３１から検索し、問合せ元の画像読取装置１０Ｂに配布する制御を行う。
【０１４９】
図１３は、本実施例に係わるシステムのスキャン・ツウ・メール処理に係わる画像読取装置１０Ｂとメールサーバ５０間の制御シーケンスを示す図である。
【０１５０】
画像読取装置１０Ｂにおいて、メールサーバ５０を経由して所望のメールアドレスを宛先としてスキャン・ツウ・メールジョブを実行する場合、ユーザは、該画像読取装置１０Ｂにおいて、スキャン対象の原稿をセットしたうえで、表示／操作部１５を操作し、宛先関連情報（メールサーバアドレス、メールアドレス、ユーザ名）と、スキャンパラメータ〔ファイル形式、スキャン解像度（ｄｐｉ）、カラー／モノクロ種別等〕を設定（指定）した後、スキャンの開始を指示する一連のスキャンメール実行指示操作を行う。
【０１５１】
なお、上記宛先関連情報やスキャンパラメータの設定に際しては、アドレス帳を用いても良く、この場合には、記憶部１３のアドレス帳管理テーブル１３２からアドレス帳を読出し、所定の項目の情報を選択して指定する。
【０１５２】
図１３に示すように、画像読取装置１０Ｂにおいて、ユーザが、例えば、アドレス帳を用いてメールアドレス等の設定を含むスキャンメール実行指示操作を行うと、画像読取転送制御部１６１が、該操作に基づく宛先関連情報やスキャンパラメータの指示入力を受付け（ステップＳ４０１）、該入力設定値を、例えば記憶部１３内の所定のエリアに、一旦、保持する。
【０１５３】
次いで、メール送信履歴問合せ部１６６は、保持された入力設定値の中から、メールアドレスや添付ファイル形式等、メール送信履歴の問合せに必要な情報を抽出し（ステップＳ４０２）、該抽出した情報を組合せてメールサーバ５０に対してメール送信履歴の問合せを行う（ステップＳ４０３）。
【０１５４】
このメール送信履歴問合せ処理において、メール送信履歴問合せ部１６６は、上記ステップＳ４０２で宛先設定から抽出した、問合せに必要な情報を含むメール送信履歴問合せ要求をメールサーバ５０へ送信する（ステップＳ４０４）。
【０１５５】
一方、メールサーバ５０では、上記ステップＳ４０４で画像読取装置１０Ｂが送信するメール送信履歴問合せ要求を受信すると（ステップＳ５０１）、送信履歴検索／応答制御部５３３が、該受信した問合せ要求に含まれるメールアドレスや添付ファイルの形式等の情報を抽出し、該抽出した情報をキーにメール送信履歴管理ＤＢ５３１中から該キー情報の組合せに対応するメール送信履歴を検索する（ステップＳ５０２）。
【０１５６】
次いで、送信履歴検索／応答制御部５３３は、この検索したメール送信履歴を問い合わせ元の画像読取装置１０Ｂに通知する（ステップＳ５０３）。
【０１５７】
このジョブ履歴通知処理において、送信履歴検索／応答制御部５３３は、上記ステップＳ５０２で検索したメール送信履歴を含むメール送信履歴取得応答を問合せ元の画像読取装置１０Ｂへ送信する（ステップＳ５０４）。
【０１５８】
一方、画像読取装置１０Ｂは、上記ステップＳ５０４でメールサーバ５０が送信するメール送信履歴問合せ応答を受信すると（ステップＳ４０５）、設定確認警告部１６７が、該受信した問合せ応答に含まれるメール送信履歴を一旦保持したうえで、該メール送信履歴と上記ステップＳ４０１で入力された設定値に基づく設定確認警告を報知処理へと移行する。
【０１５９】
この設定確認警告処理において、設定確認警告部１６７は、上記Ｓ４０５でメールサーバ５０から取得、保持しているメール送信履歴を対象に、上記ステップＳ４０３でのメール送信履歴問合せに用いた（すなわち、上記ステップＳ４０１で指定された）メールアドレス、該メールアドレスを含むドメイン、あるいは添付ファイル設定等の組合せをキーにして検索し、該組合せた設定内容に該当するエラー情報があるか否かをチェックし（ステップＳ４０６）、エラー情報がない場合は（ステップＳ４０６ＮＯ）、ステップＳ４０９の処理へ移行する。
【０１６０】
これに対し、受信したメール送信履歴中に現在の設定（上記組合せ設定内容）に該当するエラー情報（例えば、添付ファイル形式）がある場合、（ステップＳ４０６ＹＥＳ）、設定確認警告部１６７は、現在の設定では送信が行なえないために設定内容を確認する必要がある旨の警告メッセージを、例えば、表示／操作部１５の表示部に表示する（ステップＳ４０７）。
【０１６１】
その後、画像読取送信制御部１６１は、ステップＳ４０７での設定確認警告表示に基づく現在の設定に代わる正しいパラメータ値の設定変更受付の処理を行う（ステップＳ４０８）。
【０１６２】
この処理において、画像読取送信制御部１６１は、ユーザが正しい設定値（添付ファイル形式等）への変更設定を行うと、現在の設定値を該変更設定後の設定値に変更設定したうえで、原稿のスキャンを開始する（ステップＳ４０９）。
【０１６３】
この時、例えば、添付ファイル形式が設定変更された場合には、該変更後の添付ファイル形式を満足するパラメータを用いて原稿がスキャンされる。
【０１６４】
なお、上記ステップ４０６でメール送信履歴にエラー情報がないと判定された場合（ステップＳ４０６ＮＯ）、画像読取送信制御部１６１は、上記ステップＳ４０１で指定された設定に基づいて原稿のスキャンを開始する（ステップＳ４０９）。
【０１６５】
そして、上記ステップＳ４０９でのスキャン（設定変更後のスキャンも含む）が終了すると、メールアドレス等の宛先関連情報に基づきネットワークセッションの確立、メールサーバ５０へのログオンを経て該メールサーバ５０へのデータ（指定されたスキャンパラメータに基づき原稿から読取ったスキャンデータが添付されたメール）の送信を実行する（ステップＳ４１０）。
【０１６６】
上記ステップＳ４１０で画像読取装置１０Ｂからメールが送信されると、メールサーバ５０では、メール送信制御部５４１が、該メールを受信し、指定されたメールアドレスへと転送する処理を行う（ステップＳ５０６）。
【０１６７】
この処理において、メール送信制御部５４１は、受信したメールを、例えば、記憶装置５３内に設けられる所定のメール保存領域に保持し、その後、メールの宛先である、例えば、クライアント端末２０からのメール取込要求があった場合に、該宛先へと上記メールを転送する。
【０１６８】
また、画像読取装置１０Ｂでは、上記ステップＳ４１０でのメール送信が終了すると（ステップＳ４１１）、ジョブ履歴管理部１６２が、ジョブ履歴管理テーブル１３３に当該ジョブの実行結果を履歴（メール送信履歴）として追加設定（格納）したうえで、メールサーバ５０に対して、当該メール送信履歴を登録することを要求する（ステップＳ４１２）。
【０１６９】
一方、メールサーバ５０では、画像読取装置１０Ｂから送信された上記メール送信履歴登録要求を受信すると、メール送信履歴管理部５４２が、該要求に含まれるメール送信履歴（通信結果を含む）をメール送信履歴管理テーブル５３１に追加登録する（ステップＳ５０８）。
【０１７０】
次に、本実施に係わるシステムのスキャン・ツウ・メール処理における宛先簡易修正処理の具体例について説明する。
【０１７１】
図１５は、本実施例に係わるシステムのスキャン・ツウ・メール処理における宛先簡易修正処理の流れを示す概念図であり、同図に示すステップ符号は、図１３に示すフローチャート中の符号に対応している。
【０１７２】
特に、図１５では、メールサーバ５０において、メール送信履歴管理テーブル５３１上で、例えば、図１４に示す如くの内容のメール送信履歴が管理されている時に、画像読取装置Ａ（１０Ｂ−１）において、送信元のメールアドレス（ｆｒｏｍ：）が“２４６８８＠ｃｄ”という値で、かつ、宛先メールアドレス（ｔｏ：）が“１２３４５＠ａａ”という値のアドレス設定を経てスキャン・ツウ・メールジョブを開始する場合の処理の流れを開示している。
【０１７３】
この場合、上記アドレス設定、添付ファイル形式並びに他の設定（図１３のステップＳ４０１参照）がなされると画像読取装置Ａからメールサーバ５０に対して上記宛先メールアドレス“１２３４５＠ａａ”、添付ファイル形式並びに他の設定内容を含むメール送信履歴の問合せが行なわれる（同、ステップＳ４０３参照）。
【０１７４】
この時、メールサーバ５０は、上記問合せに含まれる宛先メールアドレス“１２３４５＠ａａ”、添付ファイル形式並びに他の設定内容をキーに、メール送信履歴管理テーブル５３１（図１４参照）内の全てのジョブ履歴から、該“１２３４５＠ａａ”を送信先メールアドレスとし、かつ、添付ファイル形式並びに他の設定内容が一致するメール送信履歴として、履歴番号が１番、５番のメール送信履歴を検索し（図１３のステップＳ５０２参照）、該検索した１番、５番のメール送信履歴を画像読取装置Ａへ応答送出する（同、ステップＳ５０３参照）。
【０１７５】
これに対し、上記問合せに対して検索された宛先メールアドレス“１２３４５＠ａａ”宛ての２通分のメール送信履歴を受信した問合せ元の画像読取装置Ａでは、そのうちの１通のメール送信履歴（メール送信履歴管理テーブル５３１内の履歴番号５番に相当する履歴）から「添付ファイルの未許可」というエラー情報を検出し（同、ステップＳ４０６ＹＥＳ参照）、該エラー情報内容に基づき、図１５に示すように、例えば、“添付ファイルは未許可の設定です”というメッセージ内容の設定確認警告表示を行う（同、ステップＳ４０７参照）。
【０１７６】
この設定確認警告表示を受けたユーザは、設定している添付ファイル形式が間違いであることに気付き、現在設定中の間違った値を正しい値に設定変更することにより、最初からエラーの可能性がない設定でメール送信を正しく実行できる。
【０１７７】
なお、先に述べた構成によれば、図１３に示す一連の処理中、画像読取装置Ａにおいて、メールサーバ５０から取得したメール送信履歴からエラー情報が抽出されなかった場合（ステップＳ４０６ＮＯ）には何等の報知も行なわない例を挙げたが、変形例としては、画像読取装置Ａにおいて、メールサーバ５０から取得したメール送信履歴からエラー情報が抽出されなかった場合（ステップＳ４０６ＮＯ）に、取得したメール送信履歴にエラー情報がないと判断して、メール送信が成功している旨をメッセージ表示等に報知する構成としても良い。
【０１７８】
図１６は、この変形例に係わるシステムのスキャン・ツウ・メール処理における宛先簡易修正処理の流れを示す概念図であり、同図に示すステップ符号は、図１３に示すフローチャート中の符号に対応している。
【０１７９】
特に、図１６では、メールサーバ５０において、メール送信履歴管理テーブル５３１上で、例えば、図１４に示す如くの内容のメール送信履歴が管理されている時に、画像読取装置Ａ（１０Ｂ−１）において、送信元のメールアドレス（ｆｒｏｍ：）が“２４６８８＠ｃｄ”という値で、かつ、宛先メールアドレス（ｔｏ：）が“１３５７９＠ｃｃ”という値のアドレス設定を経てスキャン・ツウ・メールジョブを開始する場合の処理の流れを開示している。
【０１８０】
この場合、上記アドレス設定、添付ファイル形式並びに他の設定（図１３のステップＳ４０１参照）がなされると画像読取装置Ａからメールサーバ５０に対して上記宛先メールアドレス“１３５７９＠ｃｃ”、添付ファイル形式並びに他の設定内容を含むメール送信履歴の問合せが行なわれる（同、ステップＳ４０３参照）。
【０１８１】
この時、メールサーバ５０は、上記問合せに含まれる宛先メールアドレス“１３５７９＠ｃｃ”、添付ファイル形式並びに他の設定内容をキーに、メール送信履歴管理テーブル５３１（図１４参照）内の全てのジョブ履歴から、該“１３５７９＠ｃｃ”を宛先メールアドレスとし、かつ、添付ファイル形式並びに他の設定内容が一致するメール送信履歴として、履歴番号が４番、６番のメール送信履歴を検索し（図１３のステップＳ５０２参照）、該検索した４番、６番のメール送信履歴を画像読取装置Ａへ応答送出する（同、ステップＳ５０３参照）。
【０１８２】
これに対し、上記問合せに対して検索された宛先メールアドレス“１３５７９＠ｃｃ”宛ての２通分のメール送信履歴を受信した問合せ元の画像読取装置Ａでは、これら２通のメール送信履歴にエラー情報がないことを検出し（同、ステップＳ４０６ＮＯ参照）、図１６に示すように、例えば、“添付ファイルの送信に２回成功しています”というメッセージ内容の通信成功表示を行う（便宜的に、ステップＳ４０７ａとして示す）。
【０１８３】
この設定確認警告表示を受けたユーザは、設定している添付ファイル形式等が正しいことを確認し、安心感を持ってメール送信を行うことができる。
【０１８４】
メール送信したユーザがメール送信が成功しなかったことに気付くのは、従来一般的には、メール送信後、メール送信失敗通知メールをメールサーバから受信した時や、該画像読取装置内で保持する当該メールの送信履歴を確認した時であった。
【０１８５】
このため、メール送信後、失敗を通知された後、制限されていない添付ファイル条件に従がって、添付ファイルを指定し直したり、正しいアドレスを指定したりして、再度、メール送信を行なわなければならなかった。
【０１８６】
これに対し、本実施例では、図１４乃至図１６を参照して説明したように、メールを送る前、アドレス及び添付ファイルを指定した段階で、メールが成功しないと推測できることをユーザが知ることができ、現在の設定の設定変更を速やかに実施できる。
【０１８７】
なお、本実施例の上記の構成においては、メールサーバ５０が、画像読取装置１０Ｂによるメール送信履歴を管理し、画像読取装置１０Ｂが、メールサーバ５０から現在の設定内容と同じ設定内容を有するメール送信履歴を取得し、その中にエラーの履歴がある場合に現在の設定内容の確認を促す警告を報知する例を挙げているが、ジョブ管理サーバ３０Ｂがメール送信履歴も管理している場合には、画像読取装置１０Ｂが、ジョブ履歴管理装置３０Ｂから現在の設定内容と同じ設定内容を有するメール送信履歴を取得し、その中にエラーの履歴がある場合に現在の設定内容の確認を促す警告を報知する構成としても良い。
【０１８８】
かかる構成は、例えば、ジョブ管理サーバ３０Ｂの制御部３４内に、メールサーバ５０の制御部５４内の送信履歴検索／応答制御部５４３に相当する機能ブロックを設けることにより実現できる。
【０１８９】
また、ジョブ履歴管理サーバ３０Ｂとの連携を考えた場合には、設定内容確認警告報知の対象は、メール送信に係わるパラメータ設定のみならず、スキャン・ツウ・ファイル転送に係わるパラメータ設定まで拡張できる。
【０１９０】
すなわち、本実施例は、画像読取装置１０Ｂが、スキャン・ツウ・ファイル転送あるいはメール転送に際して各項目（パラメータ）の設定後、原稿のスキャンを開始する前、ジョブ履歴管理サーバ３０Ｂに対し、現在の設定内容と同じ設定内容を有するジョブ履歴の取得を要求し、ジョブ履歴管理サーバ３０Ｂは、画像読取装置１０Ｂからの上記ジョブ履歴取得要求に基づき、管理しているジョブ履歴の中から、現在の設定内容と同じ設定内容を有するジョブ履歴を検索して取得要求元の画像読取装置１０Ｂに応答送出し、更に、この画像読取装置１０Ｂが、ジョブ履歴管理サーバ３０Ｂから応答送出される上記ジョブ履歴中にエラーの履歴がある場合、現在の設定内容の確認を促す警告を報知する構成（請求項７〜１０の構成に相当）にも適用できる。
【実施例３】
【０１９１】
図１７は、実施例３に係わる設定自動修正システムの全体構成を示すブロック図である。
【０１９２】
このシステムは、それぞれに画像読取装置１０Ｃ、ファイルサーバ４０、メールサーバ５０等の装置を通信接続して成る複数のネットワークＡ、Ｂ、Ｃ、…と、該各ネットワークＡ、Ｂ、Ｃ、…をそれぞれ構成する上記各装置に関する通信パラメータ等の管理を行う管理サーバ６０とをＬＡＮやＷＡＮ等のネットワーク（ＮＷ）７０を介して接続して構成される。
【０１９３】
このシステムでは、実施例１，２と同様、画像読取装置１０Ｃ（１０Ｃ−１，１０Ｃ−２，１０Ｃ−１，…、１０Ｃ−１１，１０Ｃ−１２，…、１０Ｃ−２１，１０Ｃ−２２，…）、ファイルサーバ４０（４０−１，４０−２，…）、メールサーバ５０（５０−１，５０−２，…）等の各装置は、ネットワーク７０上で、例えば、ＴＣＰ／ＩＰという通信プロトコルを用いて相互の通信を行う。
【０１９４】
上記各装置の宛先情報としては、ＩＰアドレスが用いられ、相手装置との通信に際しては該相手装置のＩＰアドレスを指定する。
【０１９５】
このシステムが提供する通信サービスとしては、実施例１、２でも述べた如く、スキャン・ツウ・ファイル転送や、スキャン・ツウ・メール等の画像読取転送サービスがある。
【０１９６】
図１７に示すシステム構成において、画像読取装置１０Ｃは、画像読取転送機能に関して実施例１に係わる画像読取装置１０と同等の機能構成を有する。
【０１９７】
ファイルサーバ４０と、メールサーバ５０は、画像読取装置１０Ｃにおけるスキャン・ツウ・ファイル転送と、スキャン・ツウ・メールの画像読取転送ジョブに対応して、それぞれ、実施例１で述べたように、上記スキャン・ツウ・ファイル転送ジョブによる転送ファイルを受信、格納し、宛先へ転送する機能と、上記スキャン・ツウ・メールジョブによって転送されるメールを受信、格納後、宛先へとメール配信する機能を有する。
【０１９８】
上述したスキャン・ツウ・ファイル転送においては、画像読取装置１０Ｃで読込んだ画像情報をファイルサーバ４０の送信フォルダに転送して所定形式のファイルとして格納し、その後、クライアント端末２０が送信フォルダからＦＴＰを用いたダウンロードによって該ファイルを取り込む。
【０１９９】
ファイルサーバ４０は、ＤＮＳ（Ｄｏｍａｉｎ  Ｎａｍｅ  Ｓｙｓｔｅｍ）サーバで実現され、ＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）、ＷＩＮＳ〔Ｗｉｎｄｏｗｓ（登録商標）  Ｉｎｔｅｒｎｅｔ  Ｎａｍｉｎｇ  Ｓｅｒｖｉｃｅ〕等、所定のプロトコルを用いて、画像読取装置１０から転送される画像情報を受信、格納した後、クライアント端末２０からのダウンロード要求を受付ける等の一連のスキャン・ツウ・ファイル転送対応動作を行う。
【０２００】
スキャン・ツウ・メールにおいては、画像読取装置１０で読込んだ画像情報をファイルとして添付したメールをメールサーバ５０に転送、格納し、その後、クライアント端末２０が格納先（送信フォルダ）からメール受取りプロトコル（ＰＯＰ３：Ｐｏｓｔ  Ｏｆｆｉｃｅ  Ｐｒｏｔｏｃｏｌ  Ｖｅｒｓｉｏｎ３）を用いて該メールを受信する。
【０２０１】
メールサーバ５０は、ＳＭＴＰ（Ｓｉｍｐｌｅ  Ｍａｉｌ  Ｔｒａｎｓｆｅｒ  Ｐｒｏｔｏｃｏｌ）サーバにより実現され、ＰＯＰ３等の所定のプロトコルを用いて、画像読取装置１０Ｃから転送される画像情報の受信、格納した後、クライアント端末２０からのメール転送要求を受ける等の一連のスキャン・ツウ・メール対応動作を行う。
【０２０２】
本実施例のシステムでは、上述した如く、画像読取転送に際して、各装置がＮＷ７０上で相互に通信する場合に、ＩＰアドレスをはじめとする宛先関連情報（ファイルサーバアドレス、メールサーバアドレス、送信先フォルダ等）や、スキャンパラメータ（ファイル形式、解像度、カラー／モノクロ種別）等のパラメータは勿論、ＰＯＰ３、ＬＤＡＰ、ＷＩＮＳなどのプロトコル利用に関するパラメータをその都度設定する（あるいは、予め設定しておく）ことにより該通信が提供される。
【０２０３】
この通信を実現すべく、当該システム内の各装置には、装置種別や機種等に応じた複数のパラメータ（ＩＰアドレス、ＰＯＰ３、ＬＤＡＰ、ＷＩＮＳ等）が対応付けて設定されており、管理サーバ６０は、これら各装置の設定パラメータ（アドレス、読取パラメータ、送信方法に関する適正な設定値）の管理を行う。
【０２０４】
一例として、図１７においては、管理サーバ６０、ファイルサーバ４０、メールサーバ５０、画像読取装置１０Ｃのそれぞれの装置毎に、パラメータ１（ｐａｒａｍ１）とパラメータ２（ｐａｒａｍ２）に関しては、例えば、（ｐａｒａｍ１＝ａａａ，ｐａｒａｍ２＝ｂｂｂ）、（ｐａｒａｍ１＝ａａａ，ｐａｒａｍ２＝ａｂｃ）のように、各装置毎に該各装置に対応するパラメータの値が割当て、設定されていることを例示している。
【０２０５】
上記各ネットワークＡ、Ｂ、Ｃ、…内の各画像読取装置１０Ｃでは、例えば、各ネットワークＡ、Ｂ、Ｃ、…内のファイルサーバ４０（４０−１，４０−２，…）、あるいはメールサーバ５０（５０−１，５０−２，…）を宛先指定してスキャン・ツウ・ファイル転送ジョブ、あるいはスキャン・ツウ・メールジョブを実行する際、ユーザは、アドレス等の宛先関連情報、プロトコル、スキャンパラメータ等に関する各項目の設定を含むジョブ実行指示操作を行う。
【０２０６】
その際、ネットワーク環境の変化等により各装置の設定パラメータが変更設定されることも起こり得る。
【０２０７】
本実施例のシステムでは、パラメータの変更設定がなされ、それまでに使っていたパラメータが正しく使うことができないままアクセスできなくなることを回避するために、画像読取装置１０Ｃは、設定したパラメータが正しく使用できない場合、正しく使用できなかった原因を調査し、該原因に対応する解決方法に従って正しいパラメータを検知（取得）し、正しく使用できなかったパラメータ設定をこの正しい値のパラメータに自動修正する機能を有する。
【０２０８】
このパラメータ自動修正機能は、パラメータを設定したサーバ（ファイルサーバ４０、メールサーバ５０等）に最新情報（パラメータ）を再度確認する機能、同一ネット、若しくは、近くの同様の画像読取装置１０Ｃ〔同種の（類似した）パラメータを使用する画像読取装置１０Ｃ：関連デバイス〕に設定されている情報を確認する機能、ＮＷ７０上で画像読取装置１０Ｃとサーバ装置（ファイルサーバ４０あるいはメールサーバ５０）との間で通信されるパケットを調査し、該サーバ装置に関する適正な設定パラメータを取得する機能等を組合せて実現される。
【０２０９】
また、上記自動修正機能によって正しいサーバを検知できた場合、自装置に正しいパラメータを設定し、該設定が完了したことを管理者に通知する処理、パラメータを設定したサーバに最新情報を通知する処理、同一ネット、若しくは、関連デバイス（画像読取装置１０Ｃ）にも情報を通知する処理、管理サーバ６０に正しい検知結果を通知する（自装置、関連デバイス及び管理サーバ６０とで設定内容を共有する）等の機能を兼ね備える。
【０２１０】
以下、本実施例に係わるシステムの各装置の構成及び処理動作について説明する。
【０２１１】
図１８は、本実施例に係る画像読取装置１０Ｃの機能構成を示すブロック図であり、実施例１に係わる画像読取装置１０の各部と同一の機能を果たす部分には同一の符号を付している。
【０２１２】
この画像読取装置１０Ｃにおいて、制御部１６ｃは、それぞれ、実施例１と同等の画像読取転送制御部１６１、ジョブ履歴登録制御部１６２、アドレス帳管理部１６３の他、設定情報通知部１６８、設定修正制御部１６９が備わる。
【０２１３】
設定情報通知部１６８及び設定修正制御部１６９は、例えば、ＳＮＭＰ（Ｓｉｍｐｌｅ  Ｎｅｔｗｏｒｋ  ｍａｎａｇｅｍｅｎｔ  Ｓｙｓｔｅｍ）エージェントで実現される。
【０２１４】
このうち、設定情報通知部１６８は、管理サーバ６０（後述するＳＮＭＰマネージャ）からの情報（管理要素としての情報）の取得要求に対して、自装置に設定されているパラメータ等の該当情報を管理サーバ６０へ応答送出する制御機能を有する。
【０２１５】
また、設定修正制御部１６９は、管理サーバ６０（後述するＳＮＭＰマネージャ）から、誤った設定を自動修正するための情報（解決方法）を取得する制御機能と、該取得した情報に基づき、誤った設定を正しい設定に自動修正する制御機能と、該自動修正した正しい設定値を管理サーバ６０あるいは関連デバイスの通知する制御機能を有する。
【０２１６】
なお、本実施例では、ファイルサーバ４０、メールサーバ５０も上記ＳＮＭＰエージェントを備え、管理サーバ６０（後述するＳＮＭＰマネージャ）からの情報（管理要素としての情報）の取得要求に対して、自装置に設定されているパラメータ等の該当情報を管理サーバ６０へ応答送出する動作を行なう。
【０２１７】
図１９は、本実施例に係る管理サーバ６０の機能構成を示すブロック図である。
【０２１８】
管理サーバ６０は、汎用のコンピュータから成り、図１９に示すように、画像読取装置１０Ｃ、ファイルサーバ４０、メールサーバ５０等とＮＷ７０を介して通信する際のネットワークインタフェースを司るネットワークインタフェース（ＮＷ  Ｉ／Ｆ）部６１、動作プログラム等の各種情報を記憶する記憶部６２、例えば、ハードディスク駆動装置（ＨＤＤ）で構成され、システム内の各装置（画像読取装置１０Ｃ、ファイルサーバ４０、メールサーバ５０等）の管理対象の要素（設定パラメータ等の情報：設定情報）を保持するデータベース（ＭＩＢ：ｍａｎａｇｅｍｅｎｔ  Ｉｎｆｏｒｍａｔｉｏｎ  Ｂａｓｅ）である設定情報データベース（ＤＢ）６３１が設けられる記憶装置６３、装置全体の制御を行なう制御部６４を具備して構成される。
【０２１９】
この管理サーバ６０において、制御部６４には、設定情報管理部６４１、修正方法構築部６４２が設けられる。
【０２２０】
設定情報管理部６４１及び修正方法構築部６４２は、例えば、ＳＮＭＰ（Ｓｉｍｐｌｅ  Ｎｅｔｗｏｒｋ  ｍａｎａｇｅｍｅｎｔ  Ｓｙｓｔｅｍ）マネージャで実現される。
【０２２１】
このうち、設定情報管理部６４１は、画像読取装置１０Ｃ、ファイルサーバ４０、メールサーバ５０（ＳＮＭＰエージェント）と協働し、該各装置に情報の取得要求を送出し、該取得要求を受けた装置から該当情報を受信する処理を経て、当該各装置に関する管理対象の要素（設定情報）を収集し、設定情報ＤＢ６３１に格納して管理する処理を行う。
【０２２２】
修正方法構築部６４２は、画像読取装置１０Ｃの設定修正制御部１６９からの自動修正後の設定パラメータの通知に基づき、通知元の画像読取装置１０Ｃと類似する設定パラメータを用いる関連デバイスに関する該当項目の設定パラメータを前記通知された設定値に変更し、その際、該設定パラメータの変更（変更前の値と変更後の値）に応じて該項目の設定パラメータが正しく使用でなかった場合の解決方法を構築し、解決方法データベース（ＤＢ）（不図示）を用いて管理すると共に、画像読取装置１０Ｃからのある設定エラーに関する設定修正方法の問合せがあった場合、該問合せ内容と設定情報ＤＢ６３１上の設定情報を基に、該設定エラーに対してどのような解決方法があるかを上記解決方法ＤＢから検索し、画像読取装置１０Ｃからの問合せに対して該問合せに合致する解決方法を当該画像読取装置１０Ｃに応答送出する制御機能を有する。
【０２２３】
図２０は、本実施例の設定パラメータ自動修正処理に係わる管理サーバ６０、画像読取装置１０Ｃ−１、及び画像読取装置１０Ｃ−２，１０Ｃ−３（画像読取装置１０Ｃ−１にとっての関連デバイス）間の制御シーケンスを示す図である。
【０２２４】
図２０において、画像読取装置１０Ｃは、例えば、画像読取転送ジョブの起動に際して、画像読取転送制御部１６１が、ユーザによるジョブ実行指示操作を受付ける（ステップＳ６０１）。
【０２２５】
その際、画像読取転送制御部１６１は、受付けた宛先関連情報、スキャンパラメータ、プロトコルに関するパラメータ等に基づくネットワークセッションの確立、送信先端末へのログオンの処理等に際して誤りがあったかどうかをチェックし（ステップＳ６０２）、各設定パラメータが正しい値で入力されることで該誤りが検出されなかった場合（ステップＳ６０２ＮＯ）、該設定に基づいて当該ジョブを実行する（ステップＳ６２１）。
【０２２６】
これに対して、上記ネットワークセッションが確立できない、あるいは、送信先端末へのログオンができない等により、設定パラメータの誤りが検出された場合（ステップＳ６０２ＹＥＳ）、設定修正制御部１６９は、誤った設定パラメータの自動修正処理を実施する（ステップＳ６０３）。
【０２２７】
その際、設定修正制御部１６９は、例えば、ＮＷ７０上で現在通信している装置間で更新されるパケットを調査する等の方法で、誤って設定されているパラメータの自動修正処理を試みる。
【０２２８】
この自動修正処理の実行中、設定修正制御部１６９は、正しいパラメータが検出されたか否かをチェックし（ステップＳ６０４）、ここで正しいパラメータ検出された場合（ステップＳ６０４ＹＥＳ）は、誤って設定されているパラメータに代えて、該検出されたパラメータ（正しいパラメータ）を自装置に設定したうえで（ステップＳ６０９）、該検出されパラメータを、該パラメータへの設定変更を行うべき旨の指示と共に管理サーバ６０、関連デバイス（画像読取装置１０Ｃ−２，１０Ｃ−３）、及び管理者へ通知する（ステップＳ６１０）。
【０２２９】
これに対して、上記ステップＳ６０４において、正しいパラメータ検出できなかった場合（ステップＳ６０４ＮＯ）、設定修正制御部１６９は、上記ステップＳ６０２で検出された設定パラメータの誤りを解決する方法を、例えば、管理サーバ６０に問い合わせ、該管理サーバ６０から該誤った設定を解決する方法を取得する（ステップＳ６０５）。
【０２３０】
このステップＳ６０５の処理において、設定修正制御部１６９は、上記ステップＳ６０２で検出された誤った設定パラメータを含む誤り解決方法の取得要求を管理サーバ６０に送出する（解決方法を管理サーバに問合せる）。
【０２３１】
これに対し、管理サーバ６０では、上記取得要求（誤った設定パラメータを修正するための解決方法の問合せ）を受信すると（ステップＳ７０１）、修正方法構築部６４２が、該取得要求に含まれる設定パラメータと設定情報ＤＢ６３１に格納されている上記ステップＳ６０１で指示された該当する装置の設定パラメータとは違うことにより正しい設定値ではないと認識したうえで、解決方法ＤＢの中から正しい設定値を取得する方法を選出し（ステップＳ７０２）、該解決方法（この例の場合は、設定情報ＤＢ６３１から読み出した正しい設定パラメータ）を要求元の画像読取装置１０Ｃ−１に応答送出する（ステップＳ７０３）。
【０２３２】
そして、画像読取装置１０Ｃ−１では、設定修正制御部１６９が、上記解決方法取得要求に対して管理サーバ６０から応答送出された解決方法を受信し、続くステップＳ６０６での自動修正処理に移行する。
【０２３３】
また、上記ステップＳ６０４おいて、設定修正制御部１６９は、誤りが検出された設定パラメータの種別によっては、同じ種別のパラメータを用いる動作環境にある関連デバイス（画像読取装置１０Ｃ−２，１０Ｃ−３）に対して正しい設定パラメータを問い合わせて該設定パラメータを取得する処理を行う。
【０２３４】
この処理において、設定修正制御部１６９は、上記ステップＳ６０２で検出された誤った設定パラメータに代わる正しいパラメータの取得要求を関連デバイスである画像読取装置１０Ｃ−２，１０Ｃ−３に送出する。
【０２３５】
これに対し、画像読取装置１０Ｃ−２，１０Ｃ−３では、上記取得要求を受信すると（ステップＳ８０１）、自装置に設定されているパラメータの中から、上記取得要求に含まれる誤った設定パラメータに変わる正しい設定パラメータを検索し（ステップＳ８０２）、該検索した正しい設定パラメータを要求元の画像読取装置１０Ｃ−１に応答送出する（ステップＳ８０３）。
【０２３６】
そして、画像読取装置１０Ｃ−１では、設定修正制御部１６９が、画像読取装置１０Ｃ−２，１０Ｃ−３から応答送出されたパラメータを受信し、続くステップＳ６０６での自動修正処理に移行する。
【０２３７】
ステップＳ６０６において、画像読取装置１０Ｃ−１の設定修正制御部１６９は、上記ステップＳ６０５で管理サーバ６０から取得した解決方法、若しくは、関連デバイスである画像読取装置１０Ｃ−２，１０Ｃ−３から取得したパラメータに基づき、上記ステップＳ６０２で検出された誤った設定パラメータの自動修正処理を行う。
【０２３８】
このステップＳ６０６での自動修正処理に際しても、設定修正制御部１６９は、正しいパラメータが検出されたか否かをチェックする（ステップＳ６０７）。
【０２３９】
ここで、正しいパラメータ検出できなかった場合（ステップＳ６０７ＮＯ）には、上記ステップＳ６０２で検出された設定パラメータの誤りが解決できなかった旨を管理者に通知する（ステップＳ６０８）。
【０２４０】
管理者は、画像読取装置１０Ｃ−１から設定パラメータの誤りが解決できなかった旨の通知を受けると、ネットワークの環境変化等を踏まえて該設定パラメータの誤りを解決する方策を立てる。
【０２４１】
これに対し、上記ステップＳ６０７において、正しいパラメータ検出された場合（ステップＳ６０４ＹＥＳ）、設定修正制御部１６９は、誤って設定されているパラメータに代えて、該検出されたパラメータ（正しいパラメータ）を自装置に設定したうえで（ステップＳ６０９）、該検出されパラメータを、該パラメータへの設定変更を行うべき旨の指示と共に管理サーバ６０、関連デバイス（画像読取装置１０Ｃ−２，１０Ｃ−３）、及び管理者へ通知する（ステップＳ６１０）。
【０２４２】
ここで、上記検出されたパラメータを関連デバイスへ通知するのは、上記ステップＳ６０５で管理サーバ６０から取得した解決方法に基づき上記ステップＳ６０６で自動修正処理を行った場合に限られる（上記ステップＳ６０５で当該関連デバイスから正しいパラメータを取得した場合には当該通知は行なわない）。
【０２４３】
一方、管理サーバ６０では、上記ステップＳ６１０で画像読取装置１０Ｃ−１から送出される、上記ステップＳ６０９で検出された正しいパラメータと、該パラメータへの設定変更を行うべき旨の指示の通知（変更通知）を受信すると（ステップＳ７０４）、画像読取装置１０Ｃ−１と、該画像読取装置１０Ｃ−１にとっての当該通信における送信先端末（上記ステップＳ６０１で指定された宛先情報を有する）との間の該当する項目のパラメータを当該通知されたパラメータに設定変更する（ステップＳ７０５）。
【０２４４】
また、関連デバイスにおいても、画像読取装置１０Ｃ−１から送信される上記変更通知を受信すると（ステップＳ８０４）、画像読取装置１０Ｃ−１にとっての当該通信における送信先端末（上記ステップＳ６０１で指定された宛先情報を有する）に関する該当するパラメータを当該通知されたパラメータに設定変更する（ステップＳ８０５）。
【０２４５】
これにより、画像読取装置１０Ｃ−１が上記ステップＳ６０３、Ｓ６０６での自動修正処理によって正しいパラメータを検出して設定変更した際には、該画像読取装置１０Ｃ−１、関連デバイス及び管理サーバ６０間で、当該設定変更内容（正しいパラメータに基づく設定）を共有できる。
【０２４６】
なお、上記ステップＳ７０５において、管理サーバ６０では、画像読取装置１０Ｃ−１からの通知に基づき正しいパラメータへの設定変更を行うのに合わせて、修正方法構築部６４２が、該変更設定内容を反映させて解決方法ＤＢ（不図示）上における設定パラメータの誤り解決方法を再構築する処理も行い、その後に画像読取転送ジョブを実行する各画像読取装置１０Ｃからの誤り解決方法取得要求（ステップＳ７０１参照）に対して、常に、その時点の運用環境に合った正しいパラメータを踏まえて正確な解決方法を提供できる状態で待機する。
【０２４７】
次に、図２０に示す一連の処理中、ステップＳ６０３での自動修正処理ａ、及びＳ６０６での自動修正処理ｂの具体例について説明する。
【０２４８】
まず、設定値がサーバ（４０、５０）に関する誤ったパラメータである場合の適切なパラメータへの自動修正処理について説明する。
【０２４９】
この場合、管理サーバ６０のアドレスはＩＰアドレス〔ｆＱＤＮ（Ｆｕｌｌｙ  Ｑｕａｌｉｆｉｅｄ  Ｄｏｍａｉｎ  Ｎａｍｅ）ではない〕であり、画像読取装置１０ＣはＮＷ７０上で該管理サーバ６０を検索できることを前提とする。
【０２５０】
画像読取装置１０Ｃにおいて、図２０のステップＳ６０１で受付けた設定内容に基づき誤りが検出された場合（同、ステップＳ６０２ＹＥＳ）であって、設定されているＤＮＳサーバにアクセスできなかった場合、設定修正制御部１６９は、同、ステップＳ６０３で以下に示すステップＳ１１、Ｓ１２、Ｓ１３による自動修正処理ａを実施する。
【０２５１】
〔ステップＳ１１〕：アクセスできなかったサーバ（４０）を対象にｐｉｎｇ（Ｐａｃｋｅｔ  ＩｎｔｅｒＮｅｔ  Ｇｒｏｐｅｒ）をかけ生存確認を行う。
【０２５２】
ステップＳ１１１：ｐｉｎｇが通らず、生存が確認できなかった場合、相手サーバが生存していない（ダウンしている）旨を管理者に通知する。
【０２５３】
なお、この通知への対応答して、管理者は該当サーバを動作状態にしてサービスを開始させることができる。
【０２５４】
これにより、管理サーバ６０（設定情報管理部６４１）が、該当サーバが起動したこと、およびサービスを提供していること、ディレクトリが存在することを確認すると、ＮＷ７０上の各画像読取装置１０Ｃへその旨を通知する。
【０２５５】
この確認通知は、上記ステップＳ１１でｐｉｎｇをかけたサーバの生存を確認できなかった画像読取装置１０に対しても行われるため、その後、該画像読取装置１０Ｃは、再度、このサーバ（最初のパラメータを設定したサーバ）を対象にして最新の情報の確認が行なえる。
【０２５６】
ステップＳ１１２：上記ステップＳ１１１において、相手サーバの生存が確認できなかった場合（あるいは、相手サーバ起動後に最新情報を取得できなかった場合）、代わりのサーバが存在するかどうかを調査する。
【０２５７】
ステップＳ１１３：この処理に際しては、例えば、エヌ・エス・ルックアップ（ｎｓｌｏｏｋｕｐ）コマンドをブロードキャストし、応答パケットを取得する。
【０２５８】
ステップＳ１１４：応答パケットを取得したら、該応答パケットを送出したサーバ（代わりのサーバ）がＮＷ７０上で送受するパケットをモニタリングし、ＤＮＳサーバとアクセスしているパケットを検出する。
【０２５９】
ステップＳ１１５：ステップＳ１１４で検出したＤＮＳサーバにアクセスし、動作する。
【０２６０】
〔ステップＳ１２〕：図２０のステップＳ６０１で設定されたアドレスの装置がＤＮＳサーバかどうかを、例えば、ｎｓｌｏｏｋｕｐコマンドを用いて確認する。
【０２６１】
ステップＳ１２１：ステップＳ１２で、設定されているアドレスの装置がＤＮＳサーバでないことが確認された場合、設定値がＤＮＳサーバでない旨を管理者に通知する。
【０２６２】
ステップＳ１２２：代わりのサーバが存在するかどうかを調査する（上記ステップＳ１１２と同様）。
【０２６３】
ステップＳ１２３：例えば、ｎｓｌｏｏｋｕｐコマンドをブロードキャストし、応答パケットを取得する（上記ステップＳ１１３と同様）。
【０２６４】
ステップＳ１２４：応答パケットを取得したら、該応答パケットを送出したサーバ（代わりのサーバ）がＮＷ７０上で送受するパケットをモニタリングし、ＤＮＳサーバとアクセスしているパケットを検出する（上記ステップＳ１１４と同様）。
【０２６５】
ステップＳ１２５：ステップＳ１２４で検出したＤＮＳサーバにアクセスし、動作する（上記ステップＳ１１５と同様）。
【０２６６】
〔ステップＳ１３〕：上記ステップＳ１１５、Ｓ１２５で検出したＤＮＳサーバを管理者に通知すると共に、関連する画像読取装置１０Ｃ等、必要な装置に通知し、設定させる。
【０２６７】
また、画像読取装置１０Ｃにおいて、図２０のステップＳ６０１で受付けた設定内容に基づき誤りが検出された場合（同、ステップＳ６０２ＹＥＳ）であって、設定されているＳＭＴＰサーバにアクセスできなかった場合、設定修正制御部１６９は、同、ステップＳ６０３で以下に示すステップＳ２１、Ｓ２２、Ｓ２３、Ｓ２４による自動修正処理ａを実施する。
【０２６８】
〔ステップＳ２１〕：アクセスできなかったサーバ（５０）を対象にｐｉｎｇをかけ生存確認を行う。
【０２６９】
ステップＳ２１１：ｐｉｎｇが通らず、生存が確認できなかった場合、相手サーバが生存していない（ダウンしている）旨を管理者に通知する。
【０２７０】
なお、この通知への対応答して、管理者が該当サーバを動作状態にしてサービスを開始させると、管理サーバ６０（設定情報管理部６４１）が、該当サーバが起動したこと、およびサービスを提供していること、ディレクトリが存在することを確認し、ＮＷ７０上の各画像読取装置１０Ｃへその旨を通知する。
【０２７１】
ステップＳ２１２：上記ステップＳ２１１において、相手サーバの生存が確認できなかった場合（あるいは、相手サーバ起動後に最新情報を取得できなかった場合）、代わりのサーバが存在するかどうかを調査する。
【０２７２】
ステップＳ２１３：この処理に際しては、例えば、ｎｓｌｏｏｋｕｐコマンドをブロードキャストし、応答パケットを取得する。
【０２７３】
ステップＳ２１４：応答パケットを取得したら、該応答パケットを送出したサーバ（代わりのサーバ）がＮＷ７０上で送受するパケットをモニタリングし、ＳＭＴＰサーバとアクセスしているパケットを検出する。
【０２７４】
ステップＳ２１５：ステップＳ２１４で検出したＳＭＴＰサーバにアクセスし、動作する。
【０２７５】
〔ステップＳ２２〕：図２０のステップＳ６０１で設定されたアドレスの装置がＳＭＴＰサーバかどうかを、例えば、ｎｓｌｏｏｋｕｐコマンドを用いて確認する。
【０２７６】
ステップＳ２２１：ステップＳ２２で、設定されているアドレスの装置がＳＭＴＰサーバでないことが確認された場合、設定値がＳＭＴＰサーバでない旨を管理者に通知する。
【０２７７】
ステップＳ２２２：代わりのサーバが存在するかどうかを調査する（上記ステップＳ２１２と同様）。
【０２７８】
ステップＳ２２３：例えば、ｎｓｌｏｏｋｕｐコマンドをブロードキャストし、応答パケットを取得する（上記ステップＳ２１３と同様）。
【０２７９】
ステップＳ２２４：応答パケットを取得したら、該応答パケットを送出したサーバ（代わりのサーバ）がＮＷ７０上で送受するパケットをモニタリングし、ＳＮＴＰサーバとアクセスしているパケットを検出する（上記ステップＳ２１４と同様）。
【０２８０】
ステップＳ２２５：ステップＳ２２４で検出したＳＭＴＰサーバにアクセスし、動作する（上記ステップＳ２１５と同様）。
【０２８１】
〔ステップＳ２３〕：上記ステップＳ２１５、Ｓ２２５で検出したＤＮＳサーバを管理者に通知すると共に、関連する画像読取装置１０Ｃ等、必要な装置に通知し、設定させる。
【０２８２】
〔ステップＳ２４〕：なお、ログインが必要な場合、設定修正制御部１６９では、ログインが行なえなかったことを検出すると、管理サーバ６０、関連デバイス１０Ｃにログインを行うための方法を問合せてログインできるように対応する。
【０２８３】
この他、管理者に対して上記方法を問い合わせるようにしても良い。この場合、設定修正制御部１６９が自動的に問合せメールを生成して管理者宛てに送信し、管理者が該問い合わせメールを確認して、ログイン設定を行うようにすれば良い。
【０２８４】
また、画像読取装置１０Ｃにおいて、図２０のステップＳ６０１で設定されている、例えば、ＰＯＰ３、ＬＤＡＰ、ＷＩＮＳ、ＦＴＰにアクセスできない場合も、上述したＤＮＳサーバ、あるいはＳＭＴＰサーバにアクセスできなかった場合と同様の処理ステップでの該誤ったパラメータの自動修正処理に対応できる。
【０２８５】
また、本実施例の画像読取装置１０Ｃ（設定修正制御部１６９）では、図２０のステップＳ６０２で検出された修正対象の設定値がサーバに関するパラメータ以外のパラメータである場合については、以下の処理によって該パラメータを適切な値へと自動修正する。
【０２８６】
例えば、修正対象の設定値が、当該画像読取装置１０Ｃがサーバになるためのパラメータである場合、デフォルト値、若しくは、管理サーバ６０から設定された値を使用し、重複しないことを確認して動作する。
【０２８７】
また、修正対象の設定値がアドレス帳である場合は、誤りが検出された（アクセスできなかった）原因がアクセス用のパラメータの設定誤りにあるか、ユーザ認証やアクセス先のサーバ側の動作環境等に起因するものかを判断し、アクセス用のパラメータの設定誤りに起因する場合は、上述した“設定値がサーバに関するパラメータである場合”と同様の処理により誤った設定値の自動修正処理を行う。
【０２８８】
これに対し、アクセスできない原因が、ユーザ認証やアクセス先のサーバ側の動作環境等（例えば、記憶容量不足）によるものである場合は、管理サーバ６０、関連デバイス１０Ｃ、あるいは管理者に正しい値を問合せ、該問合せによって取得した正しい値に修正する。
【０２８９】
具体的には、例えば、管理者に対して正しい値を問合せるメールを送り、管理者が該問い合わせメールに対して正しい値を設定するようにしても良い。
【０２９０】
また、修正対象の設定値が、画像読取装置１０Ｃでの印刷のためのパラメータの場合、印刷言語のためのパラメータ（論理プリンタの設定に用いるパラメータ）の場合、スキャンパラメータの場合の各ケースでは、パラメータが正しいかどうかはこれを使用するユーザの判断に委ね、ユーザが正しくないと判断した場合には、管理サーバ６０、関連デバイス１０Ｃ、あるいは管理者に正しい値を問合せる。
【０２９１】
この場合に、例えば、管理者に対して正しい値を問合せるメールを送り、管理者が該問い合わせメールに対して正しい値を設定する他、ユーザ（印刷者）との間で対話型の処理を行って希望のパラメータを設定するようにしても良い。
【０２９２】
対話型の処理の具体例としては、色合いや、赤め補正、あるいはレジ調整に関してユーザが望む値を入力するように促し、ユーザから希望の値の入力を受付けて該入力値を設定する構成が考えられる。
【０２９３】
この場合においても、該対話型の設定の完了後、設定したユーザと、その設定値を管理サーバ６０に通知し、その後、画像読取装置１０Ｃでの印刷に対して問合せがあると設定内容を画像読取装置１０Ｃに配信してユーザに提示し、設定に役立てる。
【０２９４】
また、修正対象の設定値がＦＡＸ（ファクシミリ）通信に係わるパラメータである場合、あるいは、印刷制限（アーデトロン）のためのパラメータである場合も、誤りが検出された（アクセスできなかった）原因がアクセス用のパラメータの設定誤りにあるか、ユーザ認証やアクセス先のサーバ側の動作環境等に起因するものかを判断し、アクセス用のパラメータの設定誤りに起因する場合は、上述した“設定値がサーバに関するパラメータである場合”と同様の処理により誤った設定値の自動修正処理を行う。
【０２９５】
これに対し、アクセスできない原因が、ユーザ認証やアクセス先のサーバ側の動作環境等（例えば、記憶容量不足）によるものである場合は、管理サーバ６０、関連デバイス１０Ｃ、あるいは管理者に正しい値を問合せ、該問合せによって取得した正しい値に修正する（例えば、管理者に対して正しい値を問合せるメールを送り、管理者が該問い合わせメールに対して正しい値を設定する）。
【０２９６】
このように、本実施例によれば、画像読取装置１０Ｃは、設定したパラメータに基づき相手端末にアクセスできなかった場合、アクセスできない原因となるパラメータを特定して該パラメータを自動修正する。
【０２９７】
自動修正の処理は、例えば、設定値がサーバの場合、アドレス帳の場合、スキャンパラメータの場合等のケース毎にエージェントが実践して、その自動修正の結果（正しいパラメータ）を管理サーバ６０、関連画像読取装置１０Ｃも含めて共有する。
【０２９８】
画像読取装置１０Ｃでは、上述したケースに応じて、自装置のみで自動修正を完結（自己解決）できる場合もあるが、解決する方法を管理サーバ６０に委ねる方法も適用する。
【０２９９】
これにより、例えば、ファイルサーバ４０と通信するために必要なパラメータの値などを調べる方法を、ユーザの介在なしで管理サーバ６０から教えてもらって画像読取装置１０Ｃが調べる。
【０３００】
自己解決するノウハウをサーバで共有して、ノウハウを向上する。その際、問題を解決できた方法は○、絞り込めた方法を△と採点して、ケースバイケースで最適な方法を選べるようにしても良い。
【０３０１】
さまざまな情報を取得する方法を管理サーバ６０からエージェントへ教え、それらを組み合わせて、更に他の情報を取得する。
【０３０２】
このようにして、問題を解決する方法を問題ごとに見つけ出して、蓄積していき、最適な問題解決方法の蓄積結果をノウハウとする。
【０３０３】
画像読取装置１０Ｃがファイルサーバ４０（あるいは、メールサーバ５０）と通信できない場合、管理サーバ６０からそのファイルサーバ４０（あるいは、メールサーバ５０）と通信するために必要なパラメータの値などを教えてもらい、自動修正の処理を行う。
【０３０４】
かかる本実施例の構成によれば、画像読取装置１０Ｃでのパラメータの設定が誤っていても、自動的に正しい値になり、メンテナンスが楽になる。
【０３０５】
また、パラメータコピーしたパラメータの値が誤っている時、それを検知して、正しい値に修正した画像読取装置１０Ｃからその正しい値が他のネットワーク上の画像読取装置１０Ｃへ管理サーバ６０経由で通知され、パラメータの値が正しく自動的に更新される結果、外部接続（Ｅｘｔｅｒｎａｌ  Ｌｉｎｋ）された管理サーバ６０の情報が最新になる。
【０３０６】
この他、本発明は、上記し、且つ図面に示す実施例に限定することなく、その要旨を変更しない範囲内で適宜変形して実施できるものである。
【産業上の利用可能性】
【０３０７】
本発明は、画像読取装置で指定された読取パラメータで原稿から読取った画像情報をサーバ経由で指定された宛先へデータ転送するシステムにおける宛先、読取パラメータ等の設定修正に適用できる。
【図面の簡単な説明】
【０３０８】
【図１】実施例１に係わる設定確認報知システムの全体構成を示すブロック図。
【図２】実施例１に係わる画像読取装置の機能構成を示すブロック図。
【図３】実施例１に係わるジョブ履歴管理サーバの機能構成を示すブロック図。
【図４】実施例１に係わるファイルサーバの機能構成を示すブロック図。
【図５】実施例１に係わる画像読取転送処理に係わる画像読取装置とジョブ履歴管理サーバ間の制御シーケンスを示す図。
【図６】図５の最終処理に続いて実施される画像読取装置とジョブ履歴管理サーバ間の制御シーケンスを示す図。
【図７】ジョブ履歴から抽出されるエラー要素の種類を示す表図。
【図８】管理サーバから画像読取装置に送信される警告情報の一例を示す表図。
【図９】管理サーバから画像読取装置に送信される警告・設定情報の一例を示す表図。
【図１０】実施例２に係わる設定確認報知システムの全体構成を示すブロック図。
【図１１】実施例２に係わる画像読取装置の機能構成を示すブロック図。
【図１２】実施例２に係わるメールサーバの機能構成を示すブロック図。
【図１３】実施例２に係わるスキャン・ツウ・メール処理に係わる画像読取装置とメールサーバ５０の制御シーケンスを示す図。
【図１４】メール送信履歴管理テーブルで管理されるメール送信履歴情報の例を示す表図。
【図１５】実施例２に係わるスキャン・ツウ・メール処理での宛先簡易修正処理の流れを示す概念図。
【図１６】実施例２の変形例に係わるスキャン・ツウ・メール処理での宛先簡易修正処理の流れを示す概念図。
【図１７】実施例３に係わる設定自動修正システムの全体構成を示すブロック図。
【図１８】実施例３に係わる画像読取装置の機能構成を示すブロック図。
【図１９】実施例３に係わる管理サーバの機能構成を示すブロック図。
【図２０】実施例３に係わる設定パラメータ自動修正処理に係わる管理サーバ、画像読取装置及び関連画像読取装置間の制御シーケンスを示す図。
【符号の説明】
【０３０９】
１０，１０−１，１０−２，１０Ｂ−１，１０Ｂ−２，１０Ｃ…画像読取装置、１１…読取部、１２…画像処理部、１３…記憶部、１３１…ジョブ履歴管理テーブル、１３２…アドレス帳管理テーブル、１３３…警告情報管理テーブル、１４…画像形成部、１５…表示／操作部、１６，１６ｂ、１６ｃ…制御部、１６１…画像読取転送制御部、１６２…ジョブ履歴管理部、１６３…アドレス帳管理部、１６４…設定確認警告部、１６５…設定変更処理部、１６６…メール送信履歴問合せ部、１６７…設定確認警告部、１６８…設定情報通知部、１６９…設定修正制御部、１７…ネットワークインタフェース（ＮＷ  Ｉ／Ｆ）部、２０…クライアント端末（ＰＣ）、３０，３０Ｂ…ジョブ履歴管理サーバ、３１…ネットワークインタフェース（ＮＷ  Ｉ／Ｆ）部、３２…記憶部、３３…記憶装置、３３１…ジョブ履歴管理テーブル、３３２…警告情報パターンデータベース（ＤＢ）、３４…制御部、３４１…ジョブ履歴管理部、３４２…エラー判定部、３４３…警告／設定情報配信部、４０，４０−１，４０−２，４０Ｂ−１…ファイルサーバ、４１…ネットワークインタフェース（ＮＷ  Ｉ／Ｆ）部、４２…記憶部、４３…記憶装置、４３１…ファイル管理データベース（ＤＢ）、４４…制御部、４４１…送信要求受付部、４４２…ファイル転送制御部、５０…メールサーバ、５１…ネットワークインタフェース（ＮＷ  Ｉ／Ｆ）部、５２…記憶部、５３…記憶装置、５３１…メール送信履歴管理テーブル（ＴＢ）、５４…制御部、５４１…メール送信制御部、５４２…メール送信履歴管理部、５４３…送信履歴検索／応答制御部、６０…管理サーバ、６１…ネットワークインタフェース（ＮＷ  Ｉ／Ｆ）部、６２…記憶部、６３…記憶装置、６３１…設定情報データベース（ＤＢ）、６４…制御部、６４１…設定情報管理部、６４２…修正方法構築部、７０…ネットワーク（ＮＷ）
【図１】
2010081056.tif 000003
【図２】
2010081056.tif 000004
【図３】
2010081056.tif 000005
【図４】
2010081056.tif 000006
【図５】
2010081056.tif 000007
【図６】
2010081056.tif 000008
【図７】
2010081056.tif 000009
【図８】
2010081056.tif 000010
【図９】
2010081056.tif 000011
【図１０】
2010081056.tif 000012
【図１１】
2010081056.tif 000013
【図１２】
2010081056.tif 000014
【図１３】
2010081056.tif 000015
【図１４】
2010081056.tif 000016
【図１５】
2010081056.tif 000017
【図１６】
2010081056.tif 000018
【図１７】
2010081056.tif 000019
【図１８】
2010081056.tif 000020
【図１９】
2010081056.tif 000021
【図２０】
2010081056.tif 000022